(57)【要約】【課題】電気光学装置の表示品位を向上する。【解決手段】電気光学装置は、複数の走査線と、ｋ個（ｋは３以上の整数）の信号線と、基準電位が与えられる基準線と、複数の走査線とｋ個の信号線との各交差に対応して配置され、基準線に接続される保持容量を含み、画像信号に対応する電位を保持容量に保持する画素と、水平走査期間において、ｋ個の信号線を順番に選択するｋ個の選択信号に基づくｋ個の供給期間に、ｋ個の信号線に画像信号を順番に供給する画像信号回路と、水平走査期間において、ｋ個の信号線のうちの画像信号回路が画像信号を供給する前の信号線にプリチャージ信号を所定の順番で供給するプリチャージ回路と、ｋ個の供給期間のうちの最初の供給期間および最後の供給期間の少なくとも一方を、ｋ個の供給期間のうちの最初の供給期間および最後の供給期間を除く所定の供給期間より長くするようにｋ個の選択信号を制御する制御回路と、を備える。【選択図】図２
2020038393.tif 000002
【特許請求の範囲】
【請求項１】
複数の走査線と、
ｋ個（ｋは３以上の整数）の信号線と、
基準電位が与えられる基準線と、
前記複数の走査線と前記ｋ個の信号線との各交差に対応して配置され、前記基準線に接続される保持容量を含み、画像信号に対応する電位を前記保持容量に保持する画素と、
水平走査期間において、前記ｋ個の信号線を順番に選択するｋ個の選択信号に基づくｋ個の供給期間に、前記ｋ個の信号線に画像信号を順番に供給する画像信号回路と、
前記水平走査期間において、前記ｋ個の信号線のうちの前記画像信号回路が画像信号を供給する前の信号線にプリチャージ信号を所定の順番で供給するプリチャージ回路と、
前記水平走査期間において、前記ｋ個の信号線の各々に画像信号を順番に供給する前記ｋ個の供給期間のうちの最初の供給期間および最後の供給期間の少なくとも一方を、前記ｋ個の供給期間のうちの前記最初の供給期間および前記最後の供給期間を除く所定の供給期間より長くするように前記ｋ個の選択信号を制御する制御回路と、
を備えることを特徴とする電気光学装置。
【請求項２】
前記制御回路は、前記最初の供給期間および前記最後の供給期間の両方を、前記所定の供給期間より長くするように前記ｋ個の選択信号を制御する、
ことを特徴とする請求項１に記載の電気光学装置。
【請求項３】
前記所定の供給期間は、プリチャージ信号が既に供給されている信号線に画像信号を供給する供給期間であり、他の信号線にプリチャージ信号を供給するプリチャージ期間との重複期間を含む、
ことを特徴とする請求項１または２に記載の電気光学装置。
【請求項４】
前記制御回路は、前記最初の供給期間に画像信号が供給される信号線を、２つの前記水平走査期間で異ならせるように前記ｋ個の選択信号を制御する、
ことを特徴とする請求項１から３のいずれか１項に記載の電気光学装置。
【請求項５】
前記制御回路は、前記最初の供給期間に画像信号が供給される信号線を、ｋ個の前記水平走査期間で異ならせるように前記ｋ個の選択信号を制御する、
ことを特徴とする請求項１から４のいずれか１項に記載の電気光学装置。
【請求項６】
前記制御回路は、前記最後の供給期間に画像信号が供給される信号線を、２つの前記水平走査期間で異ならせるように前記ｋ個の選択信号を制御する、
ことを特徴とする請求項１から５のいずれか１項に記載の電気光学装置。
【請求項７】
前記制御回路は、前記最後の供給期間に画像信号が供給される信号線を、ｋ個の前記水平走査期間で異ならせるように前記ｋ個の選択信号を制御する、
ことを特徴とする請求項１から６のいずれか１項に記載の電気光学装置。
【請求項８】
前記制御回路は、前記最初の供給期間に重複するプリチャージ期間を、前記最初の供給期間に重複する期間を残して、前記最初の供給期間に先行させ、前記所定の供給期間に重複するプリチャージ期間を、前記所定の供給期間に重複する期間を残して、前記所定の供給期間に先行させるように前記ｋ個の選択信号を制御する、
ことを特徴とする請求項１から７のいずれか１項に記載の電気光学装置。
【請求項９】
前記制御回路は、前記ｋ個の信号線のうちの第１信号線に画像信号を供給する供給期間を、２つの前記水平走査期間の一方である第１の水平走査期間では前記最初の供給期間に割り当て、２つの前記水平走査期間の他方である第２の水平走査期間では前記所定の供給期間に割り当て、前記最初の供給期間を前記所定の供給期間より長くするように前記ｋ個の選択信号を制御し、
前記プリチャージ回路は、前記第１の水平走査期間では前記第１信号線に対してプリチャージ信号を供給せず、前記第２の水平走査期間では前記第１信号線に対してプリチャージ信号を供給する、
ことを特徴とする請求項１から８のいずれか１項に記載の電気光学装置。
【請求項１０】
前記供給期間の終了時刻と、前記供給期間と重複する前記プリチャージ期間の終了時刻とは、一致している、
ことを特徴とする請求項１から９のいずれか１項に記載の電気光学装置。
【請求項１１】
前記供給期間の終了時刻は、前記供給期間と重複する前記プリチャージ期間の終了時刻よりも早い、
ことを特徴とする請求項１から９のいずれか１項に記載の電気光学装置。
【請求項１２】
請求項１から１１のいずれか１項に記載の電気光学装置を備えることを特徴とする電子機器。
【請求項１３】
複数の走査線と、
ｋ個（ｋは３以上の整数）を一群とする複数の信号線と、
基準電位が与えられる基準線と、
前記複数の走査線と前記複数の信号線との各交差に対応して配置され、前記基準線に接続される保持容量を含み、画像信号に対応する電位を前記保持容量に保持する画素と、
水平走査期間に含まれるｋ個の供給期間のそれぞれにおいて、前記ｋ個の信号線のうちの１個の信号線に画像信号を供給する画像信号回路と、
前記水平走査期間に含まれるｋ個の供給期間のうちの第１個目から第ｋ−１個目の供給期間に対応するプリチャージ期間のそれぞれにおいて、前記ｋ個の信号線のうちの１個の信号線にプリチャージ信号を供給するプリチャージ回路と、
前記水平走査期間に含まれるｋ個の供給期間うちの前記第１個目の供給期間および第ｋ個目の供給期間の一方を、前記ｋ個の供給期間のうちの前記第１個目の供給期間および前記第ｋ個目の供給期間を除く他の供給期間より長くするように前記ｋ個の供給期間を制御する制御回路と、
を備えることを特徴とする電気光学装置。
【請求項１４】
複数の走査線と、
ｋ個（ｋは３以上の整数）を一群とする複数の信号線と、
基準電位が与えられる基準線と、
前記複数の走査線と前記複数の信号線との各交差に対応して配置され、前記基準線に接続される保持容量を含み、画像信号に対応する電位を前記保持容量に保持する画素と、
水平走査期間に含まれるｋ個の供給期間のそれぞれにおいて、前記ｋ個の信号線のうちの１個の信号線に画像信号を供給する画像信号回路と、
前記水平走査期間に含まれるｋ個の供給期間のうちの第１個目から第ｋ−１個目の供給期間に対応するｈ個（ｈは２以上でｋ−１以下の整数）のプリチャージ期間のそれぞれにおいて、前記ｋ個の信号線のうちの１個の信号線にプリチャージ信号を供給するプリチャージ回路と、
前記水平走査期間に含まれるｋ個の供給期間うちの第１個目のプリチャージ期間に対応する供給期間を、第２個目のプリチャージ期間に対応する供給期間より長くするように前記ｋ個の供給期間を制御する制御回路と、
を備えることを特徴とする電気光学装置。
【請求項１５】
複数の走査線と、ｋ個（ｋは３以上の整数）の信号線と、基準電位が与えられる基準線と、前記複数の走査線と前記ｋ個の信号線との各交差に対応して配置され、前記基準線に接続される保持容量を含み、画像信号に対応する電位を前記保持容量に保持する画素と、水平走査期間において、前記ｋ個の信号線を順番に選択するｋ個の選択信号に基づくｋ個の供給期間に、前記ｋ個の信号線に画像信号を順番に供給する画像信号回路と、前記水平走査期間において、前記ｋ個の信号線のうちの前記画像信号回路が画像信号を供給する前の信号線にプリチャージ信号を所定の順番で供給するプリチャージ回路とを備えた電気光学装置の駆動方法であって、
前記水平走査期間において、前記ｋ個の信号線の各々に画像信号を順番に供給する前記ｋ個の供給期間のうちの最初の供給期間および最後の供給期間の少なくとも一方を、前記ｋ個の供給期間のうちの前記最初の供給期間および前記最後の供給期間を除く所定の供給期間より長くするように前記ｋ個の選択信号を制御する、
ことを特徴とする電気光学装置の駆動方法。
【発明の詳細な説明】
【技術分野】
【０００１】
本発明は、電気光学装置、電気光学装置の駆動方法および電子機器に関する。
【背景技術】
【０００２】
液晶素子を用いて画像を表示する電気光学装置は、各画素の階調を指定する画像信号に基づくビデオ電圧を、データ線を介して各画素に供給することで、各画素が有する液晶の透過率をビデオ電圧に基づく透過率に制御する。この結果、各画素の階調は、画像信号で指定される階調に設定される。一般に、各画素は、液晶素子と並列に接続される保持容量を有する。保持容量の一端は、液晶素子の画素電極に接続され、他端は、液晶素子のコモン電極に容量線を介して接続される。
【０００３】
各画素にビデオ電圧を供給する時間を十分に確保できない場合等、各画素へのビデオ電圧の供給が不十分な場合には、各画素が画像信号の指定する階調を正確に表示することができない場合がある。このため、従来の電気光学装置では、例えば、データ線を所定の電圧レベルに予め充電するプリチャージを実行することで、各画素に対するビデオ電圧の書き込み不足を対策している。例えば、特許文献１では、多数のデータ線を所定の数のデータ線が含まれるＸ個のブロックに分け、ｎ番目のブロックに含まれるデータ線に画像信号を印加すると同時にｎ＋１番目のブロックに含まれるデータ線にプリチャージ電圧を印加する液晶表示装置が提案されている。
【先行技術文献】
【特許文献】
【０００４】
【特許文献１】特開２０００−８９１９４号公報
【発明の概要】
【発明が解決しようとする課題】
【０００５】
しかし、ビデオ電圧またはプリチャージ電圧をデータ線に供給すると、データ線の電圧レベルの変化がデータ線と容量線間の結合容量を介して容量線に伝播され、容量線にノイズが発生する。従来の電気光学装置では、容量線に発生するノイズの影響により、表示ムラが発生する問題がある。
【課題を解決するための手段】
【０００６】
上記課題を解決するために本発明の電気光学装置の一態様は、複数の走査線と、ｋ個（ｋは３以上の整数）の信号線と、基準電位が与えられる基準線と、前記複数の走査線と前記ｋ個の信号線との各交差に対応して配置され、前記基準線に接続される保持容量を含み、画像信号に対応する電位を前記保持容量に保持する画素と、水平走査期間において、前記ｋ個の信号線を順番に選択するｋ個の選択信号に基づくｋ個の供給期間に、前記ｋ個の信号線に画像信号を順番に供給する画像信号回路と、前記水平走査期間において、前記ｋ個の信号線のうちの前記画像信号回路が画像信号を供給する前の信号線にプリチャージ信号を所定の順番で供給するプリチャージ回路と、前記水平走査期間において、前記ｋ個の信号線の各々に画像信号を順番に供給する前記ｋ個の供給期間のうちの最初の供給期間および最後の供給期間の少なくとも一方を、前記ｋ個の供給期間のうちの前記最初の供給期間および前記最後の供給期間を除く所定の供給期間より長くするように前記ｋ個の選択信号を制御する制御回路と、を備える。
【０００７】
また、本発明に係る電気光学装置の駆動方法の一態様は、複数の走査線と、ｋ個（ｋは３以上の整数）の信号線と、基準電位が与えられる基準線と、前記複数の走査線と前記ｋ個の信号線との各交差に対応して配置され、前記基準線に接続される保持容量を含み、画像信号に対応する電位を前記保持容量に保持する画素と、水平走査期間において、前記ｋ個の信号線を順番に選択するｋ個の選択信号に基づくｋ個の供給期間に、前記ｋ個の信号線に画像信号を順番に供給する画像信号回路と、前記水平走査期間において、前記ｋ個の信号線のうちの前記画像信号回路が画像信号を供給する前の信号線にプリチャージ信号を所定の順番で供給するプリチャージ回路とを備えた電気光学装置の駆動方法であって、前記水平走査期間において、前記ｋ個の信号線の各々に画像信号を順番に供給する前記ｋ個の供給期間のうちの最初の供給期間および最後の供給期間の少なくとも一方を、前記ｋ個の供給期間のうちの前記最初の供給期間および前記最後の供給期間を除く所定の供給期間より長くするように前記ｋ個の選択信号を制御する。
【図面の簡単な説明】
【０００８】
【図１】本発明の第１実施形態に係る電気光学装置の説明図である。
【図２】第１実施形態に係る電気光学装置の構成を示すブロック図である。
【図３】画素の構成を示す回路図である。
【図４】信号線の電位の動きと容量線の電位の動きとの関係を示す図である。
【図５】第１水平走査期間の動作タイミングを示す図である。
【図６】第２水平走査期間の動作タイミングを示す図である。
【図７】第３水平走査期間の動作タイミングを示す図である。
【図８】第４水平走査期間の動作タイミングを示す図である。
【図９】第５水平走査期間の動作タイミングを示す図である。
【図１０】第６水平走査期間の動作タイミングを示す図である。
【図１１】第７水平走査期間の動作タイミングを示す図である。
【図１２】第８水平走査期間の動作タイミングを示す図である。
【図１３】第１実施形態に係る電気光学装置の動作の一例を示すフローチャートである。
【図１４】本発明の第２実施形態における第１水平走査期間の動作タイミングを示す図である。
【図１５】第１実施形態の変形例１における第１水平走査期間の動作タイミングを示す図である。
【図１６】変形例１における第２水平走査期間の動作タイミングを示す図である。
【図１７】電子機器の一例を示す説明図である。
【図１８】電子機器の他の例を示す説明図である。
【図１９】電子機器の他の例を示す説明図である。
【発明を実施するための形態】
【０００９】
＜第１実施形態＞
本発明の第１実施形態について図１から図１３を参照しつつ説明する。図１は、本発明の第１実施形態に係る電気光学装置１の説明図である。なお、図１は、電気光学装置１に対する信号伝送系の構成を示す。電気光学装置１は、電気光学パネル１００と、ドライバーＩＣ（Integrated Circuit）等の駆動用集積回路２００と、フレキシブル回路基板３００とを有する。電気光学パネル１００は、駆動用集積回路２００が搭載されるフレキシブル回路基板３００に接続される。また、電気光学パネル１００は、フレキシブル回路基板３００および駆動用集積回路２００を介して、図示しないホストＣＰＵ（Central Processing Unit）装置に接続される。駆動用集積回路２００は、画像信号および駆動制御のための各種の制御信号をホストＣＰＵ装置からフレキシブル回路基板３００を介して受信し、フレキシブル回路基板３００を介して電気光学パネル１００を駆動する装置である。
【００１０】
電気光学装置１は、液晶素子を用いて画像を表示する。例えば、電気光学装置１は、各画素の階調を指定する画像信号に基づくビデオ電圧を、信号線を介して各画素に供給することで、各画素が有する液晶の透過率をビデオ電圧に基づく透過率に制御する。この結果、各画素の階調は、画像信号で指定される階調に設定される。なお、電気光学装置１では、電気光学材料の電気的な劣化を防止するため、液晶素子に印加する電圧の極性を一定周期毎に反転する極性反転駆動が採用される。例えば、電気光学装置１は、信号線を介して画素に供給する画像信号のレベルを、画像信号の中心電圧に対して１垂直走査期間毎に反転する。なお、極性を反転させる周期は任意に設定することができ、例えば、垂直走査期間の自然数倍であってもよい。本明細書においては、画像信号の電圧が中心電圧等の所定電圧に対して高電圧となる場合を正極性とし、画像信号の電圧が所定電圧に対して低電圧となる場合を負極性とする。
【００１１】
図２は、第１実施形態に係る電気光学装置１の構成を示すブロック図である。電気光学装置１は、複数の走査線１２０と、複数の信号線１２２と、基準電位が与えられる容量線１２４と、複数の画素ＰＸと、画像信号回路１４０と、プリチャージ回路１６０と、走査線駆動回路１８０と、制御回路２８０とを有する。例えば、図２に示すブロックのうち、制御回路２８０と、後述する信号線駆動回路２４０とプリチャージ電圧制御回路２６０とは、駆動用集積回路２００に含まれる。また、図２に示すブロックのうち、制御回路２８０と信号線駆動回路２４０とプリチャージ電圧制御回路２６０とを除くブロックは、電気光学パネル１００に含まれる。容量線１２４は、基準線の一例である。
【００１２】
複数の信号線１２２は、例えば、ｋ個の信号線１２２を含む信号線群に分類される。但し、ｋは３以上の整数である。図２に示す例では、ｋは８であり、信号線１２２の総数は、４１６０個である。したがって、４１６０個の信号線１２２は、８個の信号線１２２を含む５２０個の信号線群に分類される。なお、ｋは、３以上の整数であれば、８に限定されない。また、信号線１２２の総数は、図２に示す例に限定されない。例えば、信号線１２２の総数は、ｋ個でもよい。この場合、信号線群の数は１個である。
【００１３】
複数の画素ＰＸの各々は、複数の走査線１２０と複数の信号線１２２との各交差に対応して配置される。図２に示す例では、画素ＰＸは、縦２１６０行×横４１６０列の行列状に配置される。なお、画素ＰＸの数は、図２に示す例に限定されない。また、各画素ＰＸは、図３に示すように、容量線１２４に接続される保持容量Ｃｓｔを有する。図２では、図の一番上側に記載された画素ＰＸの行を１行目とし、図の一番左側に記載された画素ＰＸの列を１列目とする。また、以下では、ｍ行目の画素ＰＸに接続される走査線１２０は、ｍ行目の走査線１２０とも称され、ｎ列目の画素ＰＸに接続される信号線１２２は、ｎ列目の信号線１２２とも称される。なお、図２に示す例では、ｍは、１以上２１６０以下の整数であり、ｎは、１以上４１６０以下の整数である。
【００１４】
走査線１２０には、走査信号Ｇが供給され、信号線１２２には、画像信号Ｓまたはプリチャージ信号ＰＲＣが供給される。走査信号Ｇの符号の末尾の数字は、行番号に対応する。また、画像信号Ｓ、後述する書き込みスイッチＳＷｖおよびプリチャージスイッチＳＷｐの符号の末尾の数字は、列番号に対応する。容量線１２４には、コモン電圧Ｖｃｏｍが供給される。コモン電圧Ｖｃｏｍにより与えられる容量線１２４の電位、すなわち、コモン電圧Ｖｃｏｍに基づく電位は、基準電位の一例である。
【００１５】
画像信号回路１４０は、水平走査期間において、各信号線群に含まれる８個の信号線１２２、すなわち、ｋ個の信号線１２２の各々に画像信号Ｓを順番に供給する。水平走査期間は、各列の信号線１２２に供給される画像信号Ｓに基づくビデオ電圧を、１行の画素ＰＸに書き込むための期間である。書き込み対象の行は、走査線駆動回路１８０から走査線１２０に供給される走査信号Ｇにより選択される。
【００１６】
画像信号回路１４０は、複数の信号線群にそれぞれ対応して設けられる複数の書き込み選択回路ＳＵｖと、画像信号Ｓを各書き込み選択回路ＳＵｖに出力する信号線駆動回路２４０とを有する。例えば、書き込み選択回路ＳＵｖ１は、１列目から８列目までの８個の信号線１２２を含む信号線群に対応し、画像信号Ｓの供給対象の信号線１２２を１列目から８列目までの８個の信号線１２２から選択する。また、書き込み選択回路ＳＵｖ５２０は、４１５３列目から４１６０列目までの８個の信号線１２２を含む信号線群に対応し、画像信号Ｓの供給対象の信号線１２２を４１５３列目から４１６０列目までの８個の信号線１２２から選択する。書き込み選択回路ＳＵｖにより選択される信号線１２２に画像信号Ｓが供給される。
【００１７】
各書き込み選択回路ＳＵｖは、対応する信号線群に含まれる８個の信号線１２２、すなわち、ｋ個の信号線１２２にそれぞれ接続されるｋ個の書き込みスイッチＳＷｖを有する。書き込みスイッチＳＷｖは、例えば、ＴＦＴ（thin film transistor）等で構成されるＮチャネル型のトランジスターであり、ゲート等の制御端子で受ける書き込み選択信号ＳＥＬのレベルに応じて、導通状態と非導通状態とのいずれかに設定される。なお、書き込みスイッチＳＷｖは、Ｐチャネル型のトランジスターでもよいし、ＴＦＴ以外のスイッチング素子でもよい。各書き込み選択回路ＳＵｖの構成は、書き込みスイッチＳＷｖの制御端子以外の端子の接続先が書き込み選択回路ＳＵｖ毎に異なることを除いて、互いに同一である。このため、以下では、書き込み選択回路ＳＵｖ１の構成を中心に説明する。
【００１８】
例えば、書き込み選択回路ＳＵｖ１は、８個の書き込みスイッチＳＷｖ１−ＳＷｖ８を有する。書き込みスイッチＳＷｖ１−ＳＷｖ８の各々の一端は、１列目から８列目までの８個の信号線１２２の各々にそれぞれに接続される。また、書き込みスイッチＳＷｖ１−ＳＷｖ８の各々の他端は、互いに接続され、信号線駆動回路２４０から画像信号Ｓ１−Ｓ８を順番に受ける。そして、後述する制御回路２８０からの制御に応じて、書き込みスイッチＳＷｖ１−ＳＷｖ８のうちで、導通状態に設定される書き込みスイッチＳＷｖが、１水平走査期間において、順番に切り替わる。この結果、信号線駆動回路２４０から順番に出力される画像信号Ｓ１−Ｓ８が、対応する信号線１２２に順番に供給される。
【００１９】
例えば、書き込み選択信号ＳＥＬ１がハイレベル等の選択電位に設定されることで、書き込み選択信号ＳＥＬ１を受ける書き込みスイッチＳＷｖ１が導通状態に遷移する。この結果、画像信号Ｓ１が信号線駆動回路２４０から１列目の信号線１２２に供給され、１列目の信号線１２２は、画像信号Ｓ１に基づくビデオ電圧に充電される。なお、書き込み選択信号ＳＥＬ１は、書き込み選択回路ＳＵｖ１以外の各書き込み選択回路ＳＵｖにおいて、書き込みスイッチＳＷｖ１と同じ系列の書き込みスイッチＳＷｖ、例えば、書き込みスイッチＳＷｖ４１５３にも出力される。
【００２０】
図２に示す例では、書き込みスイッチＳＷｖの符号の末尾の数字を８で除算した余りが互いに同じ値の書き込みスイッチＳＷｖは、同系列の書き込みスイッチＳＷｖであり、共通の書き込み選択信号ＳＥＬを制御端子で受ける。例えば、書き込みスイッチＳＷｖ１は、書き込みスイッチＳＷｖ４１５３と同じ系列であり、書き込みスイッチＳＷｖ８は、書き込みスイッチＳＷｖ４１６０と同じ系列である。
【００２１】
以下では、書き込み選択信号ＳＥＬｉで制御される書き込みスイッチＳＷｖは、第ｉ系列の書き込みスイッチＳＷｖとも称される。なお、ｉは、１以上８以下の整数、すなわち、１以上ｋ以下の整数である。また、第ｉ系列の書き込みスイッチＳＷｖに接続される信号線１２２は、第ｉ系列の信号線１２２とも称される。したがって、書き込み選択信号ＳＥＬの符号の末尾の数字は、制御対象の信号線１２２の系列番号に対応する。同様に、後述するプリチャージ選択信号ＰＳＥＬの符号の末尾の数字も、制御対象の信号線１２２の系列番号に対応する。
【００２２】
信号線駆動回路２４０は、８画素分の画像信号Ｓ、すなわち、ｋ画素分の画像信号Ｓを時系列的なシリアル信号として、各書き込み選択回路ＳＵｖに出力する。例えば、信号線駆動回路２４０は、画像信号Ｓ１−Ｓ８を書き込み選択回路ＳＵｖ１に順番に出力するとともに、画像信号Ｓ４１５３−Ｓ４１６０を書き込み選択回路ＳＵｖ５２０に順番に出力する。同じ系列の信号線１２２に供給される画像信号Ｓは、信号線駆動回路２４０から各書き込み選択回路ＳＵｖに並列に出力される。すなわち、信号線駆動回路２４０は、同じ系列の信号線１２２に供給するそれぞれの画像信号Ｓを、複数の信号線群の各々に並列に出力する。
【００２３】
プリチャージ回路１６０は、水平走査期間において、各信号線群に含まれるｋ個の信号線１２２のうちの画像信号回路１４０が画像信号Ｓを供給する前の信号線１２２にプリチャージ信号ＰＲＣを所定の順番で供給する。この結果、画像信号Ｓが供給される前の信号線１２２は、プリチャージ信号ＰＲＣに基づく所定のプリチャージ電圧に充電される。すなわち、プリチャージ回路１６０は、画像信号Ｓが供給される前の信号線１２２を所定のプリチャージ電圧に充電するプリチャージを実行する。なお、所定の順番は、予め決められるプリチャージの実行順であり、信号線１２２の配置順と同じ順番でもよいし、異なる順番でもよい。
【００２４】
例えば、プリチャージ回路１６０は、複数の信号線群にそれぞれ対応して設けられる複数のプリチャージ選択回路ＳＵｐと、プリチャージ信号ＰＲＣを各プリチャージ選択回路ＳＵｐに出力するプリチャージ電圧制御回路２６０とを有する。例えば、プリチャージ選択回路ＳＵｐ１は、１列目から８列目までの８個の信号線１２２を含む信号線群に対応し、プリチャージ信号ＰＲＣの供給対象の信号線１２２を１列目から８列目までの８個の信号線１２２から選択する。また、プリチャージ選択回路ＳＵｐ５２０は、４１５３列目から４１６０列目までの８個の信号線１２２を含む信号線群に対応し、プリチャージ信号ＰＲＣの供給対象の信号線１２２を４１５３列目から４１６０列目までの８個の信号線１２２から選択する。プリチャージ選択回路ＳＵｐにより選択される信号線１２２にプリチャージ信号ＰＲＣが供給される。
【００２５】
各プリチャージ選択回路ＳＵｐは、対応する信号線群に含まれる８個の信号線１２２、すなわち、ｋ個の信号線１２２にそれぞれ接続されるｋ個のプリチャージスイッチＳＷｐを有する。プリチャージスイッチＳＷｐは、例えば、ＴＦＴ等で構成されるＮチャネル型のトランジスターであり、ゲート等の制御端子で受けるプリチャージ選択信号ＰＳＥＬのレベルに応じて、導通状態と非導通状態とのいずれかに設定される。なお、プリチャージスイッチＳＷｐは、Ｐチャネル型のトランジスターでもよいし、ＴＦＴ以外のスイッチング素子でもよい。各プリチャージ選択回路ＳＵｐの構成は、プリチャージスイッチＳＷｐに接続される信号線１２２がプリチャージ選択回路ＳＵｐ毎に異なることを除いて、互いに同一である。このため、以下では、プリチャージ選択回路ＳＵｐ１の構成を中心に説明する。
【００２６】
例えば、プリチャージ選択回路ＳＵｐ１は、８個のプリチャージスイッチＳＷｐ１−ＳＷｖ８を有する。プリチャージスイッチＳＷｐ１−ＳＷｐ８の各々の一端は、１列目から８列目までの８個の信号線１２２の各々にそれぞれに接続される。また、プリチャージスイッチＳＷｐ１−ＳＷｐ８の各々の他端は、互いに接続され、プリチャージ電圧制御回路２６０からプリチャージ信号ＰＲＣを受ける。そして、後述する制御回路２８０からの制御に応じて、プリチャージスイッチＳＷｐ１−ＳＷｐ８のうちで、導通状態に設定されるプリチャージスイッチＳＷｐが選択される。この結果、プリチャージ電圧制御回路２６０から出力されるプリチャージ信号ＰＲＣが、導通状態のプリチャージスイッチＳＷｐに接続された信号線１２２に供給される。
【００２７】
例えば、プリチャージ選択信号ＰＳＥＬ１がハイレベル等の選択電位に設定されることで、プリチャージ選択信号ＰＳＥＬ１を受けるプリチャージスイッチＳＷｐ１等の第１系列のプリチャージスイッチＳＷｐが導通状態に遷移する。この結果、プリチャージ信号ＰＲＣがプリチャージ電圧制御回路２６０から第１系列の信号線１２２に供給され、第１系列の信号線１２２は、プリチャージ信号ＰＲＣに基づくプリチャージ電圧に充電される。プリチャージ選択信号ＰＳＥＬが選択電位に維持されている期間は、信号線１２２にプリチャージ信号ＰＲＣを供給するプリチャージ期間の一例である。
【００２８】
なお、プリチャージスイッチＳＷｐ１−ＳＷｐ８の各々の他端は、プリチャージ選択回路ＳＵｐ１以外のプリチャージ選択回路ＳＵｐのプリチャージスイッチＳＷｐの他端にも接続される。すなわち、プリチャージスイッチＳＷｐ１−ＳＷｐ４１６０の他端は、互いに接続され、プリチャージ電圧制御回路２６０からプリチャージ信号ＰＲＣを受ける。
【００２９】
プリチャージ電圧制御回路２６０は、図示しない外部の設定値記憶手段等に格納されている設定値に基づいて、画像信号Ｓの極性に基づくプリチャージ電圧を信号線１２２に供給するためのプリチャージ信号ＰＲＣを複数のプリチャージスイッチＳＷｐに出力する。
【００３０】
走査線駆動回路１８０は、画像信号Ｓの供給対象の行を選択する走査信号Ｇを複数の画素ＰＸに行毎に順次出力する。例えば、走査線駆動回路１８０は、１行目の画素ＰＸにビデオ電圧を書き込む第１水平走査期間に、走査信号Ｇ１の電位をハイレベル等の選択電位に遷移させる。
【００３１】
制御回路２８０は、図示しない外部のホストＣＰＵ装置から、垂直走査期間を規定する垂直同期信号、水平走査期間を規定する水平同期信号等の外部信号を受ける。そして、制御回路２８０は、ホストＣＰＵ装置から受ける信号に基づいて、走査線駆動回路１８０と画像信号回路１４０とプリチャージ回路１６０とを同期制御する。
【００３２】
例えば、制御回路２８０は、各信号線群に含まれる８個の信号線１２２、すなわち、ｋ個の信号線１２２に画像信号Ｓを供給するタイミングを、書き込み選択信号ＳＥＬ等を用いて制御する。制御回路２８０は、画像信号Ｓの供給対象の系列の信号線１２２を選択する書き込み選択信号ＳＥＬ１−ＳＥＬ８を各系列の書き込みスイッチＳＷｖに出力する。例えば、制御回路２８０は、第１系列の信号線１２２に画像信号Ｓを供給する場合、書き込み選択信号ＳＥＬ１の電位を選択電位に遷移させる。この結果、第１系列の書き込みスイッチＳＷｖが導通状態に遷移し、信号線駆動回路２４０から出力される画像信号Ｓが第１系列の信号線１２２に供給される。
【００３３】
なお、制御回路２８０は、書き込み選択信号ＳＥＬを選択電位に維持している期間を調整することにより、各系列の信号線１２２に対する画像信号Ｓの供給期間の長さを調整する。すなわち、制御回路２８０は、水平走査期間において、各信号線群に含まれる８個の信号線１２２、すなわち、ｋ個の信号線１２２の各々に画像信号Ｓを順番に供給するｋ個の供給期間の長さを制御する。例えば、制御回路２８０は、ｋ個の供給期間のうちの最初の供給期間および最後の供給期間の一方を、ｋ個の供給期間のうちの最初の供給期間および最後の供給期間を除く１または複数の所定の供給期間より長くする。
【００３４】
また、制御回路２８０は、プリチャージ信号ＰＲＣの供給対象の系列の信号線１２２を選択するプリチャージ選択信号ＰＳＥＬ１−ＰＳＥＬ８を各系列のプリチャージスイッチＳＷｐに出力する。例えば、制御回路２８０は、第２系列の信号線１２２にプリチャージ信号ＰＲＣを供給する場合、プリチャージ選択信号ＰＳＥＬ２の電位を選択電位に遷移させる。この結果、第２系列の書き込みスイッチＳＷｖが導通状態に遷移し、プリチャージ電圧制御回路２６０から出力されるプリチャージ信号ＰＲＣが第２系列の信号線１２２に供給される。書き込み選択信号ＳＥＬおよびプリチャージ選択信号ＰＳＥＬ等の動作タイミングは、図５から図１２で説明する。
【００３５】
図３は、画素ＰＸの構成を示す回路図である。各画素ＰＸは、液晶素子１３０と、容量線１２４に接続される保持容量Ｃｓｔと、画素トランジスターＴＲｈとを有する。液晶素子１３０は、互いに対向する画素電極１３２およびコモン電極１３４と、画素電極１３２およびコモン電極１３４間に配置される液晶１３６とを含む電気光学素子である。画素電極１３２とコモン電極１３４との間の印加電圧に応じて液晶１３６の透過率が変化することにより、表示階調が変化する。なお、コモン電極１３４には、図示しないコモン線を介して、一定の電圧であるコモン電圧Ｖｃｏｍが供給される。
【００３６】
保持容量Ｃｓｔは、液晶素子１３０と並列に設けられている。保持容量Ｃｓｔの一方の端子は、画素トランジスターＴＲｈに接続され、他方の端子は、容量線１２４を介してコモン電極１３４に接続される。
【００３７】
画素トランジスターＴＲｈは、例えば、ＴＦＴ等で構成されるＮチャネル型のトランジスターであり、液晶素子１３０と信号線１２２との間に設けられる。そして、画素トランジスターＴＲｈは、ゲートに接続される走査線１２０に供給される走査信号Ｇのレベルに応じて、導通状態と非導通状態とのいずれかに設定される。すなわち、画素トランジスターＴＲｈは、液晶素子１３０と信号線１２２との間の電気的な接続を制御する。例えば、走査信号Ｇｍが選択電位に設定されることで、ｍ行目の各画素ＰＸにおける画素トランジスターＴＲｈが同時またはほぼ同時に導通状態に遷移する。
【００３８】
画素トランジスターＴＲｈが導通状態に制御されると、液晶素子１３０には、信号線１２２から供給される画像信号Ｓに基づくビデオ電圧が印加される。液晶１３６は、画像信号Ｓに基づくビデオ電圧が印加されることにより、画像信号Ｓに基づく透過率に設定される。また、図示しない光源が点灯状態になると、光源から出射される光は、画素ＰＸが有する液晶素子１３０の液晶１３６を透過して、電気光学装置１の外部に出力される。すなわち、液晶素子１３０に画像信号Ｓに基づくビデオ電圧が印加され、かつ、光源が点灯状態となることで、画素ＰＸは、画像信号Ｓに基づく階調を表示する。
【００３９】
また、液晶素子１３０と並列に設けられる保持容量Ｃｓｔは、液晶素子１３０に印加されるビデオ電圧に充電される。すなわち、各画素ＰＸは、画像信号Ｓに対応する電位を保持容量Ｃｓｔに保持する。
【００４０】
なお、画素トランジスターＴＲｈが導通状態に制御されると、保持容量Ｃｓｔと信号線１２２とが電気的に接続される。このため、信号線１２２の電位Ｅ１２２の変動が保持容量Ｃｓｔを介して容量線１２４に伝播する場合がある。また図示しない信号線１２２と容量線１２４との結合容量によっても信号線１２２の電位Ｅ１２２の変動が容量線１２４に伝播する。図２では行方向の容量線配置例を示したが、列方向すなわち信号線１２２と重なるように容量線１２４を配置する場合には特に顕著となる。この場合、容量線１２４の電位Ｅ１２４が不安定になる期間が発生する。次に、図４を用いて、信号線１２２の電位変動に伴う容量線１２４の電位変動を説明する。
【００４１】
図４は、信号線１２２の電位Ｅ１２２の動きと容量線１２４の電位Ｅ１２４の動きとの関係を示す図である。なお、図４は、正極性駆動でラスター表示を実行する場合の信号線１２２の電位Ｅ１２２の動きと容量線１２４の電位Ｅ１２４の動きとの関係を示す。電位Ｅ１２２［ｉ］は、第ｉ系列の信号線１２２の電位Ｅ１２２を示し、電位Ｅ１２２［ｊ］は、第ｊ系列の信号線１２２の電位Ｅ１２２を示す。図４に示す例では、第ｉ系列の信号線１２２に画像信号Ｓｉが供給され、第ｊ系列の信号線１２２にプリチャージ信号ＰＲＣが供給される。ビデオ電圧Ｖｖｉｄｐは、正極性駆動時における画像信号Ｓｉに基づく電圧を示し、プリチャージ電圧Ｖｐｒｃｐは、正極性駆動時におけるプリチャージ信号ＰＲＣに基づく電圧を示す。例えば、ビデオ電圧Ｖｖｉｄｐは、１２Ｖであり、プリチャージ電圧Ｖｐｒｃｐは、４Ｖである。
【００４２】
ビデオ電圧Ｖｖｉｄｐの印加対象となる第ｉ系列の信号線１２２の電位Ｅ１２２［ｉ］は、ビデオ電圧Ｖｖｉｄｐを印加するための画像信号Ｓｉが供給されると、プリチャージ電圧Ｖｐｒｃｐからビデオ電圧Ｖｖｉｄｐに遷移する。この場合、容量線１２４の電位Ｅ１２４は、コモン電圧Ｖｃｏｍから上昇し、再びコモン電圧Ｖｃｏｍに戻る。
【００４３】
また、プリチャージの対象となる第ｊ系列の信号線１２２の電位Ｅ１２２［ｊ］は、プリチャージ電圧Ｖｐｒｃｐを印加するためのプリチャージ信号ＰＲＣが供給されると、ビデオ電圧Ｖｖｉｄｐからプリチャージ電圧Ｖｐｒｃｐに遷移する。この場合、容量線１２４の電位Ｅ１２４は、コモン電圧Ｖｃｏｍから下降し、再びコモン電圧Ｖｃｏｍに戻る。
【００４４】
プリチャージ信号ＰＲＣの供給時では、容量線１２４の電位Ｅ１２４は、画像信号Ｓｉの供給時における容量線１２４の電位Ｅ１２４の変化と同じ量または同程度の量で反対に変化する。したがって、プリチャージ信号ＰＲＣの供給期間であるプリチャージ期間を画像信号Ｓの供給期間に重複させることにより、容量線１２４の電位変動、すなわち、容量線１２４に重畳されるノイズが相殺される。以下では、変動量が互いに同じまたは同程度で変動の向きが反対の電位変動を容量線１２４に与えることにより、容量線１２４に重畳されるノイズを相殺する効果を、カウンターノイズ効果とも称する。カウンターノイズ効果が得られる場合、カウンターノイズ効果が得られない場合に比べて、容量線１２４の電位変動が抑制され、容量線１２４の電位Ｅ１２４が早期に安定する。
【００４５】
なお、自然画等では、画像信号Ｓｉの供給時おける容量線１２４の電位変動とプリチャージ信号ＰＲＣの供給時における容量線１２４の電位変動との関係は、図４に示す例と異なり、カウンターノイズ効果が得られるとは限らない。しかしながら、自然画等では、全ての画素ＰＸが同一の画素値であるベタ画像に比べて、ランダム要素が強い。このため、自然画等では、カウンターノイズ効果が得られない場合でも、カウンターノイズ効果が得られない場合のベタ画像に比べて、見た目上の違和感は少ない。
【００４６】
図５から図１２は、正極性駆動でラスター表示を実行する場合の電気光学装置１の各水平走査期間Ｈの動作タイミングを示す。電位Ｅ１２２の符号のかぎ括弧内の数字は、信号線１２２の系列を示す。例えば、電位Ｅ１２２［１］は、第１系列の信号線１２２の電位Ｅ１２２を示し、電位Ｅ１２２［８］は、第８系列の信号線１２２の電位Ｅ１２２を示す。図５から図１２に示す例では、画像信号回路１４０は、水平走査期間Ｈに含まれるｋ個の供給期間のそれぞれにおいて、ｋ個の信号線１２２のうちの１個の信号線１２２に画像信号Ｓを供給する。また、プリチャージ回路１６０は、水平走査期間Ｈに含まれるｋ個の供給期間のうちの第１個目から第ｋ−１個目の供給期間に対応するプリチャージ期間のそれぞれにおいて、ｋ個の信号線１２２のうちの１個の信号線１２２にプリチャージ信号ＰＲＣを供給する。制御回路２８０は、水平走査期間Ｈに含まれるｋ個の供給期間うちの第１個目の供給期間および第ｋ個目の供給期間を、ｋ個の供給期間のうちの第１個目の供給期間および第ｋ個目の供給期間を除く他の供給期間より長くする。
【００４７】
図５は、第１水平走査期間Ｈ１の動作タイミングを示す図である。第１水平走査期間Ｈ１は、１行目の画素ＰＸにビデオ電圧Ｖｖｉｄｐを書き込むための水平走査期間Ｈである。第１水平走査期間Ｈ１では、１行目の走査線１２０に供給される走査信号Ｇ１の電位がハイレベルに設定される。１行目以外の走査線１２０に供給される走査信号Ｇ２−Ｇ２１６０は、ローレベルに維持される。
【００４８】
書き込み選択信号ＳＥＬ１−ＳＥＬ８の各々のハイレベルの期間は、書き込み選択信号ＳＥＬ１−ＳＥＬ８の順に切り替わる。すなわち、第１系列の信号線１２２から第８系列の信号線１２２までの各系列の信号線１２２に対して、供給期間が順番に割り当てられる。この結果、各系列の信号線１２２に画像信号Ｓが順番に供給される。
【００４９】
また、書き込み選択信号ＳＥＬ１−ＳＥＬ７の各々のハイレベル期間の切り替わりに合わせて、プリチャージ選択信号ＰＳＥＬ２−ＰＳＥＬ８の各々のハイレベル期間が切り替わる。例えば、プリチャージ選択信号ＰＳＥＬ２は、書き込み選択信号ＳＥＬ１がハイレベルに遷移するタイミングに同期してハイレベルに遷移し、所定時間経過後にローレベルに遷移する。なお、プリチャージ選択信号ＰＳＥＬ１は、ローレベルに維持される。
【００５０】
第１系列の供給期間、すなわち、書き込み選択信号ＳＥＬ１がハイレベルの期間では、第１系列の信号線１２２に対するプリチャージが実行されないため、前水平走査期間Ｈの表示でビデオ電圧Ｖｖｉｄｐに充電された第１系列の信号線１２２に対して、同じビデオ電圧Ｖｖｉｄｐが再び印加される。このため、第１系列の信号線１２２の電位Ｅ１２２［１］は、ほとんど変動しない。したがって、第１系列の信号線１２２と容量線１２４との間の容量結合による容量線１２４の電位変動は、ほとんど発生しない。ところで各フレームの最初の水平走査期間Ｈでは信号線１２２の電位Ｅ１２２がほとんど変動しない状態を作り出すために、表示に見えないダミーの画素行を設けてラスター表示と同じ画像信号Ｓもしくはグレーレベルの信号を信号線１２２に書き込む。または各フレームの最初の水平走査期間Ｈが始まる前に、ラスター表示と同じ画像信号Ｓもしくはグレーレベルの信号を信号線１２２に書き込む、等の動作を行うことが好ましい。
【００５１】
また、第１系列の供給期間では、プリチャージ選択信号ＰＳＥＬ２がハイレベルに維持されている第２系列のプリチャージ期間に、第２系列の信号線１２２に対するプリチャージが実行される。すなわち、第２系列のプリチャージ期間に、第２系列の信号線１２２にプリチャージ信号ＰＲＣが供給される。このため、第２系列の信号線１２２の電位Ｅ１２２［２］は、図４で説明したように、ビデオ電圧Ｖｖｉｄｐからプリチャージ電圧Ｖｐｒｃｐに遷移する。そして、第２系列の信号線１２２と容量線１２４との間の容量結合によって、電位Ｅ１２２［２］の変動が容量線１２４に伝播し、容量線１２４に電位変動が発生する。図４で説明したように、容量線１２４の電位Ｅ１２４は、コモン電圧Ｖｃｏｍから下降し、再びコモン電圧Ｖｃｏｍに戻る。
【００５２】
第２系列の供給期間、すなわち、書き込み選択信号ＳＥＬ２がハイレベルの期間では、プリチャージ電圧Ｖｐｒｃｐに充電された第２系列の信号線１２２に対して、ビデオ電圧Ｖｖｉｄｐが印加される。このため、第２系列の信号線１２２の電位Ｅ１２２［２］は、図４で説明したように、プリチャージ電圧Ｖｐｒｃｐからビデオ電圧Ｖｖｉｄｐに遷移する。そして、第２系列の信号線１２２と容量線１２４との間の容量結合によって、電位Ｅ１２２［２］の変動が容量線１２４に伝播し、容量線１２４に電位変動が発生する。
【００５３】
しかしながら、第２系列の供給期間では、第２系列の供給期間に重複する第３系列のプリチャージ期間に、第３系列の信号線１２２に対するプリチャージが実行される。このため、図４で説明したカウンターノイズ効果により、容量線１２４の電位Ｅ１２４の変動は、第１系列の供給期間に比べて抑制される。
【００５４】
例えば、第２系列の供給期間では、プリチャージ選択信号ＰＳＥＬ３がハイレベルの期間に、第３系列の信号線１２２に対するプリチャージが実行される。このため、第３系列の信号線１２２の電位Ｅ１２２［３］は、ビデオ電圧Ｖｖｉｄｐからプリチャージ電圧Ｖｐｒｃｐに遷移する。そして、第３系列の信号線１２２と容量線１２４との間の容量結合によって、電位Ｅ１２２［３］の変動が容量線１２４に伝播し、容量線１２４に電位変動が発生する。電位Ｅ１２２［２］の変動による容量線１２４の電位変動と、電位Ｅ１２２［２］の変動と逆向きの電位Ｅ１２２［３］の変動による容量線１２４の電位変動とが互いに重畳され、図４で説明したように、容量線１２４に発生するノイズが相殺される。
【００５５】
第２系列の供給期間では、第１系列の供給期間に比べて、容量線１２４の電位Ｅ１２４の変動が抑制されるため、容量線１２４の電位Ｅ１２４が早期に安定する。このため、第２系列の供給期間の長さＴ２を第１系列の供給期間の長さＴ１より短くすることができる。なお、容量線１２４の電位Ｅ１２４が安定する前、すなわち、容量線１２４の電位Ｅ１２４がコモン電圧Ｖｃｏｍに戻る前に供給期間が終了する場合、供給期間の終了後に容量線１２４の電位Ｅ１２４がコモン電圧Ｖｃｏｍに戻る。この場合、保持容量Ｃｓｔに接続される画素電極１３２の電位も供給期間の終了後に変動する。すなわち、供給期間の終了後に、画素電極１３２の電位が、画像信号Ｓに基づくビデオ電圧Ｖｖｉｄｐから変化する。この場合、画素ＰＸは、画像信号Ｓの指定する階調を正確に表示することができない。
【００５６】
したがって、第１系列の供給期間では、供給期間の長さＴ１を第２系列の供給期間の長さＴ２より長くすることにより、容量線１２４の電位Ｅ１２４が安定する前に供給期間が終了することを抑制する。この結果、第１系列の供給期間に画像信号Ｓが供給される第１系列の各画素ＰＸにおいても、画像信号Ｓの指定する階調を正確に表示することができる。
【００５７】
第３系列の供給期間から第７系列の供給期間は、第２系列の供給期間と同様に、カウンターノイズ効果により、容量線１２４の電位Ｅ１２４の変動は、第１系列の供給期間に比べて抑制される。上述したように、第２系列から第７系列までの供給期間は、プリチャージ信号ＰＲＣが既に供給されている信号線１２２に画像信号Ｓを供給する供給期間であり、他の信号線１２２にプリチャージ信号ＰＲＣを供給するプリチャージ期間との重複期間を含む。
【００５８】
第８系列の供給期間、すなわち、書き込み選択信号ＳＥＬ８がハイレベルの期間では、プリチャージ電圧Ｖｐｒｃｐに充電された第８系列の信号線１２２に対して、ビデオ電圧Ｖｖｉｄｐが印加される。このため、第８系列の信号線１２２の電位Ｅ１２２［８］は、プリチャージ電圧Ｖｐｒｃｐからビデオ電圧Ｖｖｉｄｐに遷移する。そして、第８系列の信号線１２２と容量線１２４との間の容量結合によって、電位Ｅ１２２［８］の変動が容量線１２４に伝播し、容量線１２４に電位変動が発生する。例えば、容量線１２４の電位Ｅ１２４は、コモン電圧Ｖｃｏｍから上昇し、再びコモン電圧Ｖｃｏｍに戻る。
【００５９】
なお、第８系列の供給期間では、他の系列の信号線１２２に対するプリチャージが実行されない。このため、第８系列の供給期間では、カウンターノイズ効果が得られない。この結果、第８系列の供給期間では、カウンターノイズ効果が得られる第２系列から第７系列までの供給期間に比べて、容量線１２４の電位Ｅ１２４が安定するまでの時間が長くなる。したがって、第８系列の供給期間では、供給期間の長さＴ３を第２系列の供給期間の長さＴ２より長くすることにより、容量線１２４の電位Ｅ１２４が安定する前に供給期間が終了することを抑制する。この結果、第８系列の供給期間に画像信号Ｓが供給される第８系列の各画素ＰＸにおいても、画像信号Ｓの指定する階調を正確に表示することができる。
【００６０】
すなわち、制御回路２８０は、第１系列の供給期間の長さＴ１および第８系列の供給期間の長さＴ３を、第２系列から第７系列までの供給期間の長さＴ２より長くする。なお、図５に示す例では、第１系列の供給期間は、８系列の信号線１２２の各系列に画像信号Ｓを順番に供給する８個の供給期間のうちの最初の供給期間であり、第８系列の供給期間は、８個の供給期間のうちの最後の供給期間である。第２系列から第７系列までの供給期間は、８個の供給期間のうちの最初の供給期間および最後の供給期間を除く供給期間である。
【００６１】
すなわち、図５に示す例では、第１系列の供給期間は最初の供給期間の一例であり、第２系列から第７系列までの供給期間は、所定の供給期間の一例であり、第８系列の供給期間は最後の供給期間の一例である。したがって、制御回路２８０は、８個の供給期間のうちの最初の供給期間および最後の供給期間の両方の長さＴ１、Ｔ３を、８個の供給期間のうちの最初の供給期間および最後の供給期間を除く所定の供給期間の長さＴ２より長くする。なお、制御回路２８０は、８個の供給期間のうちの最初の供給期間および最後の供給期間の一方の長さを、所定の供給期間の長さＴ２より長くしてもよい。
【００６２】
図６は、第２水平走査期間Ｈ２の動作タイミングを示す図である。図５で説明した動作と同様の動作については、詳細な説明を省略する。第２水平走査期間Ｈ２は、２行目の画素ＰＸにビデオ電圧Ｖｖｉｄｐを書き込むための水平走査期間Ｈである。第２水平走査期間Ｈ２では、２行目の走査線１２０に供給される走査信号Ｇ２の電位がハイレベルに設定される。２行目以外の走査線１２０に供給される走査信号Ｇ１、Ｇ３−Ｇ２１６０は、ローレベルに維持される。
【００６３】
第２水平走査期間Ｈ２では、第１系列から第８系列までの各系列の信号線１２２に画像信号Ｓを順番に供給する際の順番が第１水平走査期間Ｈ１と異なる。例えば、書き込み選択信号ＳＥＬ１−ＳＥＬ８の各々のハイレベルの期間は、書き込み選択信号ＳＥＬ２−ＳＥＬ８、ＳＥＬ１の順に切り替わる。すなわち、制御回路２８０は、最初の供給期間に画像信号Ｓが供給される信号線１２２を、第１水平走査期間Ｈ１と第２水平走査期間Ｈ２との２つの水平走査期間Ｈで異ならせる。また、制御回路２８０は、最後の供給期間に画像信号Ｓが供給される信号線１２２を、第１水平走査期間Ｈ１と第２水平走査期間Ｈ２との２つの水平走査期間Ｈで異ならせる。
【００６４】
書き込み選択信号ＳＥＬ２−ＳＥＬ８の各々のハイレベル期間の切り替わりに合わせて、プリチャージ選択信号ＰＳＥＬ３−ＰＳＥＬ８、ＰＳＥＬ１の各々のハイレベル期間が順番に切り替わる。例えば、プリチャージ選択信号ＰＳＥＬ３は、書き込み選択信号ＳＥＬ２がハイレベルに遷移するタイミングに同期してハイレベルに遷移し、所定時間経過後にローレベルに遷移する。また、例えば、プリチャージ選択信号ＰＳＥＬ１は、書き込み選択信号ＳＥＬ８がハイレベルに遷移するタイミングに同期してハイレベルに遷移し、所定時間経過後にローレベルに遷移する。なお、プリチャージ選択信号ＰＳＥＬ２は、ローレベルに維持される。
【００６５】
したがって、第２水平走査期間Ｈ２では、最初の供給期間である第２系列の供給期間および最後の供給期間である第１系列の供給期間では、カウンターノイズ効果が得られない。これに対し、第３系列から第８系列までの供給期間では、カウンターノイズ効果が得られる。このため、制御回路２８０は、第２系列の供給期間の長さＴ１および第１系列の供給期間の長さＴ３を、第３系列から第８系列までの供給期間の長さＴ２より長くする。この結果、各系列の各画素ＰＸは、画像信号Ｓの指定する階調を正確に表示することができる。なお、図６に示す第３系列から第８系列までの供給期間は、所定の供給期間の一例である。
【００６６】
また、電気光学装置１は、最初の供給期間に画像信号Ｓが供給される信号線１２２を２つの水平走査期間Ｈで異ならせるため、最初の供給期間に画像信号Ｓが供給される画素ＰＸで階調が正確に表示されない場合でも、階調が正確に表示されない画素ＰＸの列が固定されることを抑制できる。同様に、電気光学装置１は、最後の供給期間に画像信号Ｓが供給される信号線１２２を２つの水平走査期間Ｈで異ならせるため、最後の供給期間に画像信号Ｓが供給される画素ＰＸで階調が正確に表示されない場合でも、階調が正確に表示されない画素ＰＸの列が固定されることを抑制できる。
【００６７】
図５および図６に示した動作タイミングでは、制御回路２８０は、第２系列の信号線１２２に画像信号Ｓを供給する第２系列の供給期間を、第２水平走査期間Ｈ２では最初の供給期間に割り当て、第１水平走査期間Ｈ１では所定の供給期間に割り当てる。そして、制御回路２８０は、最初の供給期間の長さＴ１を所定の供給期間の長さＴ２より長くする。また、プリチャージ回路１６０は、第２水平走査期間Ｈ２では第２系列の信号線１２２に対してプリチャージ信号ＰＲＣを供給せず、第１水平走査期間Ｈ１では第２系列の信号線１２２に対してプリチャージ信号ＰＲＣを供給する。なお、図５および図６に示した例では、第２系列の信号線１２２は、ｋ個の信号線１２２のうちの第１信号線１２２の一例であり、第２水平走査期間Ｈ２は、２つの水平走査期間Ｈの一方である第１の水平走査期間Ｈの一例であり、第１水平走査期間Ｈ１は、２つの水平走査期間Ｈの他方である第２の水平走査期間Ｈの一例である。
【００６８】
図７は、第３水平走査期間Ｈ３の動作タイミングを示す図である。図５で説明した動作と同様の動作については、詳細な説明を省略する。第３水平走査期間Ｈ３は、３行目の画素ＰＸにビデオ電圧Ｖｖｉｄｐを書き込むための水平走査期間Ｈである。第３水平走査期間Ｈ３では、３行目の走査線１２０に供給される走査信号Ｇ３の電位がハイレベルに設定される。３行目以外の走査線１２０に供給される走査信号Ｇ１、Ｇ２、Ｇ４−Ｇ２１６０は、ローレベルに維持される。
【００６９】
第３水平走査期間Ｈ３では、第１系列から第８系列までの各系列の信号線１２２に画像信号Ｓを順番に供給する際の順番が、第１水平走査期間Ｈ１および第２水平走査期間Ｈ２と異なる。例えば、書き込み選択信号ＳＥＬ１−ＳＥＬ８の各々のハイレベルの期間は、書き込み選択信号ＳＥＬ３−ＳＥＬ８、ＳＥＬ１、ＳＥＬ２の順に切り替わる。すなわち、制御回路２８０は、最初の供給期間に画像信号Ｓが供給される信号線１２２を、３つの水平走査期間Ｈで異ならせる。また、制御回路２８０は、最後の供給期間に画像信号Ｓが供給される信号線１２２を、３つの水平走査期間Ｈで異ならせる。
【００７０】
書き込み選択信号ＳＥＬ３−ＳＥＬ８、ＳＥＬ１の各々のハイレベル期間の切り替わりに合わせて、プリチャージ選択信号ＰＳＥＬ４−ＰＳＥＬ８、ＰＳＥＬ１、ＰＳＥＬ２の各々のハイレベル期間が順番に切り替わる。例えば、プリチャージ選択信号ＰＳＥＬ４は、書き込み選択信号ＳＥＬ３がハイレベルに遷移するタイミングに同期してハイレベルに遷移し、所定時間経過後にローレベルに遷移する。また、例えば、プリチャージ選択信号ＰＳＥＬ２は、書き込み選択信号ＳＥＬ１がハイレベルに遷移するタイミングに同期してハイレベルに遷移し、所定時間経過後にローレベルに遷移する。なお、プリチャージ選択信号ＰＳＥＬ３は、ローレベルに維持される。
【００７１】
したがって、第３水平走査期間Ｈ３では、最初の供給期間である第３系列の供給期間および最後の供給期間である第２系列の供給期間では、カウンターノイズ効果が得られない。これに対し、第４系列から第８系列までの供給期間および第１系列の供給期間では、カウンターノイズ効果が得られる。このため、制御回路２８０は、第３系列の供給期間の長さＴ１および第２系列の供給期間の長さＴ３を、第４系列から第８系列までの供給期間および第１系列の供給期間の各供給期間の長さＴ２より長くする。この結果、各系列の各画素ＰＸは、画像信号Ｓの指定する階調を正確に表示することができる。なお、図７に示す第４系列から第８系列までの供給期間および第１系列の供給期間は、所定の供給期間の一例である。
【００７２】
また、電気光学装置１は、最初の供給期間に画像信号Ｓが供給される信号線１２２を３つの水平走査期間Ｈで異ならせるため、最初の供給期間に画像信号Ｓが供給される画素ＰＸで階調が正確に表示されない場合でも、階調が正確に表示されない画素ＰＸの列が固定されることを抑制できる。同様に、電気光学装置１は、最後の供給期間に画像信号Ｓが供給される信号線１２２を３つの水平走査期間Ｈで異ならせるため、最後の供給期間に画像信号Ｓが供給される画素ＰＸで階調が正確に表示されない場合でも、階調が正確に表示されない画素ＰＸの列が固定されることを抑制できる。
【００７３】
図８は、第４水平走査期間Ｈ４の動作タイミングを示す図である。図５で説明した動作と同様の動作については、詳細な説明を省略する。第４水平走査期間Ｈ４は、４行目の画素ＰＸにビデオ電圧Ｖｖｉｄｐを書き込むための水平走査期間Ｈである。第４水平走査期間Ｈ４では、４行目の走査線１２０に供給される走査信号Ｇ４の電位がハイレベルに設定される。４行目以外の走査線１２０に供給される走査信号Ｇ１−Ｇ３、Ｇ５−Ｇ２１６０は、ローレベルに維持される。
【００７４】
第４水平走査期間Ｈ４では、第１系列から第８系列までの各系列の信号線１２２に画像信号Ｓを順番に供給する際の順番が、第１水平走査期間Ｈ１から第３水平走査期間Ｈ３までの各水平走査期間Ｈと異なる。例えば、書き込み選択信号ＳＥＬ１−ＳＥＬ８の各々のハイレベルの期間は、書き込み選択信号ＳＥＬ４−ＳＥＬ８、ＳＥＬ１−ＳＥＬ３の順に切り替わる。すなわち、制御回路２８０は、最初の供給期間に画像信号Ｓが供給される信号線１２２を、４つの水平走査期間Ｈで異ならせる。また、制御回路２８０は、最後の供給期間に画像信号Ｓが供給される信号線１２２を、４つの水平走査期間Ｈで異ならせる。
【００７５】
書き込み選択信号ＳＥＬ４−ＳＥＬ８、ＳＥＬ１−ＳＥＬ２の各々のハイレベル期間の切り替わりに合わせて、プリチャージ選択信号ＰＳＥＬ５−ＰＳＥＬ８、ＰＳＥＬ１−ＰＳＥＬ３の各々のハイレベル期間が順番に切り替わる。例えば、プリチャージ選択信号ＰＳＥＬ５は、書き込み選択信号ＳＥＬ４がハイレベルに遷移するタイミングに同期してハイレベルに遷移し、所定時間経過後にローレベルに遷移する。また、例えば、プリチャージ選択信号ＰＳＥＬ３は、書き込み選択信号ＳＥＬ２がハイレベルに遷移するタイミングに同期してハイレベルに遷移し、所定時間経過後にローレベルに遷移する。なお、プリチャージ選択信号ＰＳＥＬ４は、ローレベルに維持される。
【００７６】
したがって、第４水平走査期間Ｈ４では、最初の供給期間である第４系列の供給期間および最後の供給期間である第３系列の供給期間では、カウンターノイズ効果が得られない。これに対し、第５系列から第８系列までの供給期間、第１系列の供給期間および第２系列の供給期間では、カウンターノイズ効果が得られる。このため、制御回路２８０は、第４系列の供給期間の長さＴ１および第３系列の供給期間の長さＴ３を、第５系列から第８系列までの供給期間、第１系列の供給期間および第２系列の供給期間の各供給期間の長さＴ２より長くする。この結果、各系列の各画素ＰＸは、画像信号Ｓの指定する階調を正確に表示することができる。なお、図８に示す第５系列から第８系列までの供給期間、第１系列の供給期間および第２系列の供給期間は、所定の供給期間の一例である。
【００７７】
また、電気光学装置１は、最初の供給期間に画像信号Ｓが供給される信号線１２２を４つの水平走査期間Ｈで異ならせるため、最初の供給期間に画像信号Ｓが供給される画素ＰＸで階調が正確に表示されない場合でも、階調が正確に表示されない画素ＰＸの列が固定されることを抑制できる。同様に、電気光学装置１は、最後の供給期間に画像信号Ｓが供給される信号線１２２を４つの水平走査期間Ｈで異ならせるため、最後の供給期間に画像信号Ｓが供給される画素ＰＸで階調が正確に表示されない場合でも、階調が正確に表示されない画素ＰＸの列が固定されることを抑制できる。
【００７８】
図９は、第５水平走査期間Ｈ５の動作タイミングを示す図である。図５で説明した動作と同様の動作については、詳細な説明を省略する。第５水平走査期間Ｈ５は、５行目の画素ＰＸにビデオ電圧Ｖｖｉｄｐを書き込むための水平走査期間Ｈである。第５水平走査期間Ｈ５では、５行目の走査線１２０に供給される走査信号Ｇ５の電位がハイレベルに設定される。５行目以外の走査線１２０に供給される走査信号Ｇ１−Ｇ４、Ｇ６−Ｇ２１６０は、ローレベルに維持される。
【００７９】
第５水平走査期間Ｈ５では、第１系列から第８系列までの各系列の信号線１２２に画像信号Ｓを順番に供給する際の順番が、第１水平走査期間Ｈ１から第４水平走査期間Ｈ４までの各水平走査期間Ｈと異なる。例えば、書き込み選択信号ＳＥＬ１−ＳＥＬ８の各々のハイレベルの期間は、書き込み選択信号ＳＥＬ５−ＳＥＬ８、ＳＥＬ１−ＳＥＬ４の順に切り替わる。すなわち、制御回路２８０は、最初の供給期間に画像信号Ｓが供給される信号線１２２を、５つの水平走査期間Ｈで異ならせる。また、制御回路２８０は、最後の供給期間に画像信号Ｓが供給される信号線１２２を、５つの水平走査期間Ｈで異ならせる。
【００８０】
書き込み選択信号ＳＥＬ５−ＳＥＬ８、ＳＥＬ１−ＳＥＬ３の各々のハイレベル期間の切り替わりに合わせて、プリチャージ選択信号ＰＳＥＬ６−ＰＳＥＬ８、ＰＳＥＬ１−ＰＳＥＬ４の各々のハイレベル期間が順番に切り替わる。例えば、プリチャージ選択信号ＰＳＥＬ６は、書き込み選択信号ＳＥＬ５がハイレベルに遷移するタイミングに同期してハイレベルに遷移し、所定時間経過後にローレベルに遷移する。また、例えば、プリチャージ選択信号ＰＳＥＬ４は、書き込み選択信号ＳＥＬ３がハイレベルに遷移するタイミングに同期してハイレベルに遷移し、所定時間経過後にローレベルに遷移する。なお、プリチャージ選択信号ＰＳＥＬ５は、ローレベルに維持される。
【００８１】
したがって、第５水平走査期間Ｈ５では、最初の供給期間である第５系列の供給期間および最後の供給期間である第４系列の供給期間では、カウンターノイズ効果が得られない。これに対し、第６系列から第８系列までの供給期間および第１系列から第３系列までの供給期間では、カウンターノイズ効果が得られる。このため、制御回路２８０は、第５系列の供給期間の長さＴ１および第４系列の供給期間の長さＴ３を、第６系列から第８系列までの供給期間および第１系列から第３系列までの供給期間の各供給期間の長さＴ２より長くする。この結果、各系列の各画素ＰＸは、画像信号Ｓの指定する階調を正確に表示することができる。なお、図９に示す第６系列から第８系列までの供給期間および第１系列から第３系列までの供給期間は、所定の供給期間の一例である。
【００８２】
また、電気光学装置１は、最初の供給期間に画像信号Ｓが供給される信号線１２２を５つの水平走査期間Ｈで異ならせるため、最初の供給期間に画像信号Ｓが供給される画素ＰＸで階調が正確に表示されない場合でも、階調が正確に表示されない画素ＰＸの列が固定されることを抑制できる。同様に、電気光学装置１は、最後の供給期間に画像信号Ｓが供給される信号線１２２を５つの水平走査期間Ｈで異ならせるため、最後の供給期間に画像信号Ｓが供給される画素ＰＸで階調が正確に表示されない場合でも、階調が正確に表示されない画素ＰＸの列が固定されることを抑制できる。
【００８３】
図１０は、第６水平走査期間Ｈ６の動作タイミングを示す図である。図５で説明した動作と同様の動作については、詳細な説明を省略する。第６水平走査期間Ｈ６は、６行目の画素ＰＸにビデオ電圧Ｖｖｉｄｐを書き込むための水平走査期間Ｈである。第６水平走査期間Ｈ６では、６行目の走査線１２０に供給される走査信号Ｇ６の電位がハイレベルに設定される。６行目以外の走査線１２０に供給される走査信号Ｇ１−Ｇ５、Ｇ７−Ｇ２１６０は、ローレベルに維持される。
【００８４】
第６水平走査期間Ｈ６では、第１系列から第８系列までの各系列の信号線１２２に画像信号Ｓを順番に供給する際の順番が、第１水平走査期間Ｈ１から第５水平走査期間Ｈ５までの各水平走査期間Ｈと異なる。例えば、書き込み選択信号ＳＥＬ１−ＳＥＬ８の各々のハイレベルの期間は、書き込み選択信号ＳＥＬ６−ＳＥＬ８、ＳＥＬ１−ＳＥＬ５の順に切り替わる。すなわち、制御回路２８０は、最初の供給期間に画像信号Ｓが供給される信号線１２２を、６つの水平走査期間Ｈで異ならせる。また、制御回路２８０は、最後の供給期間に画像信号Ｓが供給される信号線１２２を、６つの水平走査期間Ｈで異ならせる。
【００８５】
書き込み選択信号ＳＥＬ６−ＳＥＬ８、ＳＥＬ１−ＳＥＬ４の各々のハイレベル期間の切り替わりに合わせて、プリチャージ選択信号ＰＳＥＬ７、ＰＳＥＬ８、ＰＳＥＬ１−ＰＳＥＬ５の各々のハイレベル期間が順番に切り替わる。例えば、プリチャージ選択信号ＰＳＥＬ７は、書き込み選択信号ＳＥＬ６がハイレベルに遷移するタイミングに同期してハイレベルに遷移し、所定時間経過後にローレベルに遷移する。また、例えば、プリチャージ選択信号ＰＳＥＬ５は、書き込み選択信号ＳＥＬ４がハイレベルに遷移するタイミングに同期してハイレベルに遷移し、所定時間経過後にローレベルに遷移する。なお、プリチャージ選択信号ＰＳＥＬ６は、ローレベルに維持される。
【００８６】
したがって、第６水平走査期間Ｈ６では、最初の供給期間である第６系列の供給期間および最後の供給期間である第５系列の供給期間では、カウンターノイズ効果が得られない。これに対し、第７系列の供給期間、第８系列の供給期間および第１系列から第４系列までの供給期間では、カウンターノイズ効果が得られる。このため、制御回路２８０は、第６系列の供給期間の長さＴ１および第５系列の供給期間の長さＴ３を、第７系列の供給期間、第８系列の供給期間および第１系列から第４系列までの供給期間の各供給期間の長さＴ２より長くする。この結果、各系列の各画素ＰＸは、画像信号Ｓの指定する階調を正確に表示することができる。なお、図１０に示す第７系列の供給期間、第８系列の供給期間および第１系列から第４系列までの供給期間は、所定の供給期間の一例である。
【００８７】
また、電気光学装置１は、最初の供給期間に画像信号Ｓが供給される信号線１２２を６つの水平走査期間Ｈで異ならせるため、最初の供給期間に画像信号Ｓが供給される画素ＰＸで階調が正確に表示されない場合でも、階調が正確に表示されない画素ＰＸの列が固定されることを抑制できる。同様に、電気光学装置１は、最後の供給期間に画像信号Ｓが供給される信号線１２２を６つの水平走査期間Ｈで異ならせるため、最後の供給期間に画像信号Ｓが供給される画素ＰＸで階調が正確に表示されない場合でも、階調が正確に表示されない画素ＰＸの列が固定されることを抑制できる。
【００８８】
図１１は、第７水平走査期間Ｈ７の動作タイミングを示す図である。図５で説明した動作と同様の動作については、詳細な説明を省略する。第７水平走査期間Ｈ７は、７行目の画素ＰＸにビデオ電圧Ｖｖｉｄｐを書き込むための水平走査期間Ｈである。第７水平走査期間Ｈ７では、７行目の走査線１２０に供給される走査信号Ｇ７の電位がハイレベルに設定される。７行目以外の走査線１２０に供給される走査信号Ｇ１−Ｇ６、Ｇ８−Ｇ２１６０は、ローレベルに維持される。
【００８９】
第７水平走査期間Ｈ７では、第１系列から第８系列までの各系列の信号線１２２に画像信号Ｓを順番に供給する際の順番が、第１水平走査期間Ｈ１から第６水平走査期間Ｈ６までの各水平走査期間Ｈと異なる。例えば、書き込み選択信号ＳＥＬ１−ＳＥＬ８の各々のハイレベルの期間は、書き込み選択信号ＳＥＬ７、ＳＥＬ８、ＳＥＬ１−ＳＥＬ６の順に切り替わる。すなわち、制御回路２８０は、最初の供給期間に画像信号Ｓが供給される信号線１２２を、７つの水平走査期間Ｈで異ならせる。また、制御回路２８０は、最後の供給期間に画像信号Ｓが供給される信号線１２２を、７つの水平走査期間Ｈで異ならせる。
【００９０】
書き込み選択信号ＳＥＬ７、ＳＥＬ８、ＳＥＬ１−ＳＥＬ５の各々のハイレベル期間の切り替わりに合わせて、プリチャージ選択信号ＰＳＥＬ８、ＰＳＥＬ１−ＰＳＥＬ６の各々のハイレベル期間が順番に切り替わる。例えば、プリチャージ選択信号ＰＳＥＬ８は、書き込み選択信号ＳＥＬ７がハイレベルに遷移するタイミングに同期してハイレベルに遷移し、所定時間経過後にローレベルに遷移する。また、例えば、プリチャージ選択信号ＰＳＥＬ６は、書き込み選択信号ＳＥＬ５がハイレベルに遷移するタイミングに同期してハイレベルに遷移し、所定時間経過後にローレベルに遷移する。なお、プリチャージ選択信号ＰＳＥＬ７は、ローレベルに維持される。
【００９１】
したがって、第７水平走査期間Ｈ７では、最初の供給期間である第７系列の供給期間および最後の供給期間である第６系列の供給期間では、カウンターノイズ効果が得られない。これに対し、第８系列の供給期間および第１系列から第５系列までの供給期間では、カウンターノイズ効果が得られる。このため、制御回路２８０は、第７系列の供給期間の長さＴ１および第６系列の供給期間の長さＴ３を、第８系列の供給期間および第１系列から第５系列までの供給期間の各供給期間の長さＴ２より長くする。この結果、各系列の各画素ＰＸは、画像信号Ｓの指定する階調を正確に表示することができる。なお、図１１に示す第８系列の供給期間および第１系列から第５系列までの供給期間は、所定の供給期間の一例である。
【００９２】
また、電気光学装置１は、最初の供給期間に画像信号Ｓが供給される信号線１２２を７つの水平走査期間Ｈで異ならせるため、最初の供給期間に画像信号Ｓが供給される画素ＰＸで階調が正確に表示されない場合でも、階調が正確に表示されない画素ＰＸの列が固定されることを抑制できる。同様に、電気光学装置１は、最後の供給期間に画像信号Ｓが供給される信号線１２２を７つの水平走査期間Ｈで異ならせるため、最後の供給期間に画像信号Ｓが供給される画素ＰＸで階調が正確に表示されない場合でも、階調が正確に表示されない画素ＰＸの列が固定されることを抑制できる。
【００９３】
図１２は、第８水平走査期間Ｈ８の動作タイミングを示す図である。図５で説明した動作と同様の動作については、詳細な説明を省略する。第８水平走査期間Ｈ８は、８行目の画素ＰＸにビデオ電圧Ｖｖｉｄｐを書き込むための水平走査期間Ｈである。第８水平走査期間Ｈ８では、８行目の走査線１２０に供給される走査信号Ｇ８の電位がハイレベルに設定される。８行目以外の走査線１２０に供給される走査信号Ｇ１−Ｇ７、Ｇ９−Ｇ２１６０は、ローレベルに維持される。
【００９４】
第８水平走査期間Ｈ８では、第１系列から第８系列までの各系列の信号線１２２に画像信号Ｓを順番に供給する際の順番が、第１水平走査期間Ｈ１から第７水平走査期間Ｈ７までの各水平走査期間Ｈと異なる。例えば、書き込み選択信号ＳＥＬ１−ＳＥＬ８の各々のハイレベルの期間は、書き込み選択信号ＳＥＬ８、ＳＥＬ１−ＳＥＬ７の順に切り替わる。すなわち、制御回路２８０は、最初の供給期間に画像信号Ｓが供給される信号線１２２を、８つの水平走査期間Ｈで異ならせる。また、制御回路２８０は、最後の供給期間に画像信号Ｓが供給される信号線１２２を、８つの水平走査期間Ｈで異ならせる。すなわち、制御回路２８０は、最初の供給期間に画像信号Ｓが供給される信号線１２２を、ｋ個の水平走査期間Ｈで異ならせ、最後の供給期間に画像信号Ｓが供給される信号線１２２を、ｋ個の水平走査期間Ｈで異ならせる。
【００９５】
書き込み選択信号ＳＥＬ８、ＳＥＬ１−ＳＥＬ６の各々のハイレベル期間の切り替わりに合わせて、プリチャージ選択信号ＰＳＥＬ１−ＰＳＥＬ７の各々のハイレベル期間が順番に切り替わる。例えば、プリチャージ選択信号ＰＳＥＬ１は、書き込み選択信号ＳＥＬ８がハイレベルに遷移するタイミングに同期してハイレベルに遷移し、所定時間経過後にローレベルに遷移する。また、例えば、プリチャージ選択信号ＰＳＥＬ７は、書き込み選択信号ＳＥＬ６がハイレベルに遷移するタイミングに同期してハイレベルに遷移し、所定時間経過後にローレベルに遷移する。なお、プリチャージ選択信号ＰＳＥＬ８は、ローレベルに維持される。
【００９６】
したがって、第８水平走査期間Ｈ８では、最初の供給期間である第８系列の供給期間および最後の供給期間である第７系列の供給期間では、カウンターノイズ効果が得られない。これに対し、第１系列から第６系列までの供給期間では、カウンターノイズ効果が得られる。このため、制御回路２８０は、第８系列の供給期間の長さＴ１および第７系列の供給期間の長さＴ３を、第１系列から第６系列までの供給期間の長さＴ２より長くする。この結果、各系列の各画素ＰＸは、画像信号Ｓの指定する階調を正確に表示することができる。なお、図１２に示す第１系列から第６系列までの供給期間は、所定の供給期間の一例である。
【００９７】
また、電気光学装置１は、最初の供給期間に画像信号Ｓが供給される信号線１２２を８つの水平走査期間Ｈで異ならせるため、最初の供給期間に画像信号Ｓが供給される画素ＰＸで階調が正確に表示されない場合でも、階調が正確に表示されない画素ＰＸの列が固定されることを抑制できる。同様に、電気光学装置１は、最後の供給期間に画像信号Ｓが供給される信号線１２２を８つの水平走査期間Ｈで異ならせるため、最後の供給期間に画像信号Ｓが供給される画素ＰＸで階調が正確に表示されない場合でも、階調が正確に表示されない画素ＰＸの列が固定されることを抑制できる。
【００９８】
すなわち、図５から図１２に示した動作タイミングでは、制御回路２８０は、プリチャージ信号ＰＲＣが既に供給されている系列の信号線１２２に画像信号Ｓを供給する供給期間のうち、プリチャージ期間との重複期間を含まない供給期間を、プリチャージ期間との重複期間を含む供給期間より長くする。また、制御回路２８０は、プリチャージ期間との重複期間を含む供給期間のうち、プリチャージ信号ＰＲＣが供給されていない系列の信号線１２２に画像信号Ｓを供給する供給期間を、プリチャージ信号ＰＲＣが既に供給されている列の信号線１２２に画像信号Ｓを供給する供給期間より長くする。
【００９９】
第１水平走査期間Ｈ１から第８水平走査期間Ｈ８までの水平走査期間Ｈ以外の水平走査期間Ｈは、ビデオ電圧Ｖｖｉｄｐの書き込み対象の画素ＰＸの行を選択する走査信号Ｇを除いて、図５から図１２に示した動作タイミングのいずれかと同様である。なお、垂直走査期間は、図５から図１２に示した動作タイミングと異なる動作タイミングで動作する水平走査期間Ｈ、例えば、プリチャージが実行されない水平走査期間Ｈを含んでもよい。
【０１００】
負極性駆動でラスター表示を実行する場合の電気光学装置１の各水平走査期間Ｈの動作タイミングは、図５から図１２の説明において、ビデオ電圧Ｖｖｉｄｐおよびプリチャージ電圧Ｖｐｒｃｐを、負極性駆動時のビデオ電圧およびプリチャージ電圧にそれぞれ読み替えることにより説明される。負極性駆動時では、階調によっては、信号線１２２の電位Ｅ１２２は、ほとんど変動しない。
【０１０１】
図１３は、第１実施形態に係る電気光学装置１の動作の一例を示すフローチャートである。図１３に示す動作は、電気光学装置１の駆動方法の一例である。なお、図１３に示す動作は、各水平走査期間Ｈにおいて、８個の供給期間、すなわち、ｋ個の供給期間の各々の長さを設定する際の電気光学装置１の駆動方法の一例である。電気光学装置１は、各水平走査期間Ｈにおいて、ｋ個の供給期間の長さを全て設定するまで図１３に示す動作を繰り返す。
【０１０２】
先ず、ステップＳ１００では、電気光学装置１は、駆動対象の信号線１２２の供給期間がｋ個の供給期間のうちの最初の供給期間かを判定する。駆動対象の信号線１２２の供給期間が最初の供給期間である場合、電気光学装置１は、ステップＳ２００において、駆動対象の信号線１２２の供給期間を、長さＴ１に設定する。一方、駆動対象の信号線１２２の供給期間が最初の供給期間でない場合、電気光学装置１の動作は、ステップＳ１２０に移る。
ステップＳ１２０では、電気光学装置１は、駆動対象の信号線１２２の供給期間がｋ個の供給期間のうちの最後の供給期間かを判定する。駆動対象の信号線１２２の供給期間が最後の供給期間である場合、電気光学装置１は、ステップＳ２２０において、駆動対象の信号線１２２の供給期間を、長さＴ３に設定する。一方、駆動対象の信号線１２２の供給期間が最後の供給期間でない場合、電気光学装置１は、ステップＳ２４０において、駆動対象の信号線１２２の供給期間を、長さＴ１、Ｔ３より短い長さＴ２に設定する。
【０１０３】
すなわち、電気光学装置１は、各水平走査期間Ｈにおいて、ｋ個の信号線１２２の各々に画像信号Ｓを順番に供給するｋ個の供給期間のうちの最初の供給期間および最後の供給期間を、ｋ個の供給期間のうちの最初の供給期間および最後の供給期間を除く１または複数の所定の供給期間より長くする。
【０１０４】
なお、電気光学装置１の動作は、図１３に示す例に限定されない。例えば、ステップＳ１２０、Ｓ２２０は、省かれてもよい。あるいは、ステップＳ１００、Ｓ２００は、省かれてもよい。すなわち、電気光学装置１は、各水平走査期間Ｈにおいて、ｋ個の供給期間のうちの最初の供給期間および最後の供給期間の一方を、ｋ個の供給期間のうちの最初の供給期間および最後の供給期間を除く１または複数の所定の供給期間より長くしてもよい。
【０１０５】
以上、第１実施形態では、制御回路２８０は、水平走査期間Ｈにおいて、ｋ個の信号線１２２の各々に画像信号Ｓを順番に供給するｋ個の供給期間のうちの最初の供給期間および最後の供給期間を、ｋ個の供給期間のうちの最初の供給期間および最後の供給期間を除く１または複数の所定の供給期間より長くする。
【０１０６】
例えば、所定の供給期間は、プリチャージ信号ＰＲＣが既に供給されている信号線１２２に画像信号Ｓを供給する供給期間であり、他の信号線１２２にプリチャージ信号ＰＲＣを供給するプリチャージ期間との重複期間を含む。このため、所定の供給期間では、容量線１２４に重畳されるノイズを相殺するカウンターノイズ効果が得られる。
【０１０７】
なお、カウンターノイズ効果が得られない最初の供給期間および最後の供給期間は、上述したように、カウンターノイズ効果が得られる所定の供給期間より長く設定される。この結果、電気光学装置１は、カウンターノイズ効果が得られない最初の供給期間および最後の供給期間が、容量線１２４が安定する前に終了することを抑制できる。したがって、最初の供給期間および最後の供給期間に画像信号Ｓが供給される画素ＰＸにおいても、画像信号Ｓの指定する階調を正確に表示できる。すなわち、電気光学装置１は、表示ムラの発生を抑制でき、表示品位を向上できる。
【０１０８】
なお、最初の供給期間および最後の供給期間の一方を、ｋ個の供給期間のうちの最初の供給期間および最後の供給期間を除く１または複数の所定の供給期間より長くする場合でも、供給期間の長さを調整しない場合に比べて、表示ムラの発生を抑制できる。すなわち、電気光学装置１の表示品位を向上させることができる。
【０１０９】
また、制御回路２８０は、最初の供給期間に画像信号Ｓが供給される信号線１２２を、２つの水平走査期間Ｈで異ならせる。このため、最初の供給期間に画像信号Ｓが供給される画素ＰＸで階調が正確に表示されない場合でも、階調が正確に表示されない画素ＰＸの列が固定されることを抑制できる。同様に、制御回路２８０は、最後の供給期間に画像信号Ｓが供給される信号線１２２を、２つの水平走査期間Ｈで異ならせる。このため、最後の供給期間に画像信号Ｓが供給される画素ＰＸで階調が正確に表示されない場合でも、階調が正確に表示されない画素ＰＸの列が固定されることを抑制できる。
【０１１０】
また、制御回路２８０は、最初の供給期間に画像信号Ｓが供給される信号線１２２を、ｋ個の水平走査期間Ｈで異ならせる。このため、最初の供給期間に画像信号Ｓが供給される画素ＰＸで階調が正確に表示されない場合でも、階調が正確に表示されない画素ＰＸの列が固定されることを抑制できる。同様に、制御回路２８０は、最後の供給期間に画像信号Ｓが供給される信号線１２２を、ｋ個の水平走査期間Ｈで異ならせる。このため、最後の供給期間に画像信号Ｓが供給される画素ＰＸで階調が正確に表示されない場合でも、階調が正確に表示されない画素ＰＸの列が固定されることを抑制できる。
【０１１１】
＜第２実施形態＞
第２実施形態における電気光学装置１の構成および動作は、制御回路２８０がプリチャージ信号ＰＲＣを信号線１２２に供給するタイミングを除いて、上述した第１実施形態の電気光学装置１と同一である。
【０１１２】
図１４は、本発明の第２実施形態における第１水平走査期間Ｈ１の動作タイミングを示す図である。図５で説明した動作と同様の動作については、詳細な説明を省略する。
【０１１３】
第１水平走査期間Ｈ１では、図５に示した動作タイミングと同様に、書き込み選択信号ＳＥＬ１−ＳＥＬ８の各々のハイレベルの期間は、書き込み選択信号ＳＥＬ１−ＳＥＬ８の順に切り替わる。また、書き込み選択信号ＳＥＬ１−ＳＥＬ７の各々のハイレベル期間の切り替わりに合わせて、プリチャージ選択信号ＰＳＥＬ２−ＰＳＥＬ８の各々のハイレベル期間が順番に切り替わる。図１４に示す例では、プリチャージ選択信号ＰＳＥＬ２−ＰＳＥＬ８の各々のハイレベル期間が切り替わる順番は、図５に示した動作タイミングと同じであるが、切り替わるタイミングが図５に示した動作タイミングと異なる。
【０１１４】
例えば、プリチャージ選択信号ＰＳＥＬ２は、図５に示した動作タイミングと同様に、書き込み選択信号ＳＥＬ１に同期して変化する。但し、プリチャージ選択信号ＰＳＥＬ２は、書き込み選択信号ＳＥＬ１がハイレベルに遷移する前に、ハイレベルに遷移する。そして、プリチャージ選択信号ＰＳＥＬ２は、書き込み選択信号ＳＥＬ１がローレベルに遷移する前にローレベルに遷移する。
【０１１５】
また、例えば、プリチャージ選択信号ＰＳＥＬ８は、図５に示した動作タイミングと同様に、書き込み選択信号ＳＥＬ７に同期して変化する。但し、プリチャージ選択信号ＰＳＥＬ８は、書き込み選択信号ＳＥＬ６のローレベルへの遷移より後で、かつ、書き込み選択信号ＳＥＬ７がハイレベルに遷移する前に、ハイレベルに遷移する。そして、プリチャージ選択信号ＰＳＥＬ８は、書き込み選択信号ＳＥＬ７がローレベルに遷移する前にローレベルに遷移する。プリチャージ選択信号ＰＳＥＬ３−ＰＳＥＬ７の各々も、同期する書き込み選択信号ＳＥＬに対して、プリチャージ選択信号ＰＳＥＬ８と同様のタイミングで変化する。
【０１１６】
すなわち、第２実施形態では、制御回路２８０は、最初の供給期間に重複するプリチャージ期間を、最初の供給期間に重複する期間を残して、最初の供給期間に先行させる。また、制御回路２８０は、第２系列の供給期間等の所定の供給期間に重複するプリチャージ期間を、所定の供給期間に重複する期間を残して、所定の供給期間に先行させる。
【０１１７】
プリチャージスイッチＳＷｐの駆動能力が低いと、カウンターノイズ効果が充分に得られない場合がある。このため、第２実施形態では、プリチャージ期間を供給期間に先行させることにより、プリチャージ期間を供給期間に先行させない場合に比べて、容量線１２４の電位Ｅ１２４の変動が緩やかになるまでの時間を確保する。この結果、容量線１２４の電位Ｅ１２４が安定する前に供給期間が終了することを抑制することができる。したがって、各画素ＰＸは、画像信号Ｓの指定する階調を正確に表示することができる。
【０１１８】
＜変形例＞
以上に例示した各形態は多様に変形され得る。具体的な変形の態様を以下に例示する。以下の例示から任意に選択された２以上の態様は、相互に矛盾しない範囲で適宜に併合され得る。
【０１１９】
＜変形例１＞
図１５および図１６は、第１実施形態の変形例１における電気光学装置１の動作タイミングを示す図である。なお、図１５および図１６は、正極性駆動でラスター表示を実行する場合の電気光学装置１の動作タイミングを示す。変形例１では、１供給期間おきにプリチャージが実行される。すなわち、プリチャージは、ｋ個の供給期間のうちの最後の供給期間を除く１または複数の所定の供給期間に合わせて実行されればよい。図１５および図１６に示す例では、プリチャージ回路１６０は、水平走査期間Ｈに含まれるｋ個の供給期間のうちの第１個目から第ｋ−１個目の供給期間に対応するｈ個のプリチャージ期間のそれぞれにおいて、ｋ個の信号線１２２のうちの１個の信号線１２２にプリチャージ信号ＰＲＣを供給する。但し、ｈは、２以上でｋ−１以下の整数である。また、制御回路２８０は、水平走査期間Ｈに含まれるｋ個の供給期間うちの第１個目のプリチャージ期間に対応する供給期間を、第２個目のプリチャージ期間に対応する供給期間より長くする。
【０１２０】
図１５は、第１実施形態の変形例１における第１水平走査期間Ｈ１の動作タイミングを示す図である。図５で説明した動作と同様の動作については、詳細な説明を省略する。
【０１２１】
第１水平走査期間Ｈ１では、図５に示した動作タイミングと同様に、書き込み選択信号ＳＥＬ１−ＳＥＬ８の各々のハイレベルの期間は、書き込み選択信号ＳＥＬ１−ＳＥＬ８の順に切り替わる。また、書き込み選択信号ＳＥＬ１、ＳＥＬ３、ＳＥＬ５の各々のハイレベル期間の切り替わりに合わせて、プリチャージ選択信号ＰＳＥＬ３、ＰＳＥＬ５、ＰＳＥＬ７の各々のハイレベル期間が順番に切り替わる。すなわち、変形例１の第１水平走査期間Ｈ１では、奇数系列の信号線１２２にプリチャージ信号ＰＲＣが順番に供給される。
【０１２２】
例えば、プリチャージ選択信号ＰＳＥＬ３は、書き込み選択信号ＳＥＬ１がハイレベルに遷移するタイミングに同期してハイレベルに遷移し、所定時間経過後にローレベルに遷移する。また、例えば、プリチャージ選択信号ＰＳＥＬ５は、書き込み選択信号ＳＥＬ３がハイレベルに遷移するタイミングに同期してハイレベルに遷移し、所定時間経過後にローレベルに遷移する。また、例えば、プリチャージ選択信号ＰＳＥＬ７は、書き込み選択信号ＳＥＬ５がハイレベルに遷移するタイミングに同期してハイレベルに遷移し、所定時間経過後にローレベルに遷移する。なお、プリチャージ選択信号ＰＳＥＬ１、ＰＳＥＬ２、ＰＳＥＬ４、ＰＳＥＬ６、ＰＳＥＬ８は、ローレベルに維持される。
【０１２３】
したがって、変形例１の第１水平走査期間Ｈ１では、最初の供給期間である第１系列の供給期間と、奇数系列における最後の供給期間である第７系列の供給期間とでは、カウンターノイズ効果が得られない。これに対し、第３系列の供給期間および第５系列の供給期間では、カウンターノイズ効果が得られる。このため、制御回路２８０は、第１系列の供給期間の長さＴ１および第７系列の供給期間の長さＴ４を、第３系列の供給期間および第５系列の供給期間の各供給期間の長さＴ２より長くする。この結果、各系列の各画素ＰＸは、画像信号Ｓの指定する階調を正確に表示することができる。なお、図１５に示す第３系列の供給期間および第５系列の供給期間は、所定の供給期間の一例である。
【０１２４】
また、ラスター表示の場合、変形例１の第１水平走査期間Ｈ１における偶数系列の供給期間では、信号線１２２の電位Ｅ１２２がほとんど変化しないため、容量線１２４の電位Ｅ１２４もほとんど変化しない。したがって、偶数系列の供給期間の長さ、例えば、最後の供給期間である第８系列の供給期間の長さＴ３は、第３系列の供給期間および第５系列の供給期間の各供給期間の長さＴ２と同じにしてもよい。
【０１２５】
図１６は、変形例１における第２水平走査期間Ｈ２の動作タイミングを示す図である。図５および図６で説明した動作と同様の動作については、詳細な説明を省略する。
【０１２６】
第２水平走査期間Ｈ２では、図５に示した動作タイミングと同様に、書き込み選択信号ＳＥＬ１−ＳＥＬ８の各々のハイレベルの期間は、書き込み選択信号ＳＥＬ１−ＳＥＬ８の順に切り替わる。また、書き込み選択信号ＳＥＬ２、ＳＥＬ４、ＳＥＬ６の各々のハイレベル期間の切り替わりに合わせて、プリチャージ選択信号ＰＳＥＬ４、ＰＳＥＬ６、ＰＳＥＬ８の各々のハイレベル期間が順番に切り替わる。すなわち、変形例１の第２水平走査期間Ｈ２では、偶数系列の信号線１２２にプリチャージ信号ＰＲＣが順番に供給される。
【０１２７】
例えば、プリチャージ選択信号ＰＳＥＬ４は、書き込み選択信号ＳＥＬ２がハイレベルに遷移するタイミングに同期してハイレベルに遷移し、所定時間経過後にローレベルに遷移する。また、例えば、プリチャージ選択信号ＰＳＥＬ６は、書き込み選択信号ＳＥＬ４がハイレベルに遷移するタイミングに同期してハイレベルに遷移し、所定時間経過後にローレベルに遷移する。また、例えば、プリチャージ選択信号ＰＳＥＬ８は、書き込み選択信号ＳＥＬ６がハイレベルに遷移するタイミングに同期してハイレベルに遷移し、所定時間経過後にローレベルに遷移する。なお、プリチャージ選択信号ＰＳＥＬ１、ＰＳＥＬ２、ＰＳＥＬ３、ＰＳＥＬ５、ＰＳＥＬ７は、ローレベルに維持される。
【０１２８】
したがって、変形例１の第２水平走査期間Ｈ２では、偶数系列における最初の供給期間である第２系列の供給期間と、最後の供給期間である第８系列の供給期間とでは、カウンターノイズ効果が得られない。これに対し、第４系列の供給期間および第６系列の供給期間では、カウンターノイズ効果が得られる。このため、制御回路２８０は、第２系列の供給期間の長さＴ５および第８系列の供給期間の長さＴ３を、第４系列の供給期間および第６系列の供給期間の各供給期間の長さＴ２より長くする。この結果、各系列の各画素ＰＸは、画像信号Ｓの指定する階調を正確に表示することができる。なお、図１５に示す第４系列の供給期間および第６系列の供給期間は、所定の供給期間の一例である。
【０１２９】
また、ラスター表示の場合、変形例１の第２水平走査期間Ｈ２における奇数系列の供給期間では、信号線１２２の電位Ｅ１２２がほとんど変化しないため、容量線１２４の電位Ｅ１２４もほとんど変化しない。したがって、奇数系列の供給期間の長さ、例えば、最初の供給期間である第１系列の供給期間の長さＴ１は、第４系列の供給期間および第６系列の供給期間の各供給期間の長さＴ２と同じにしてもよい。
【０１３０】
変形例１においても、上述した第１実施形態と同様な効果を得ることができる。なお、変形例１を、上述した第２実施形態に適用してもよい。すなわち、変形例１においても、制御回路２８０は、プリチャージ期間を、同期する書き込み選択信号ＳＥＬに対して、重複する期間を残して先行させてもよい。
【０１３１】
また、変形例１においても、制御回路２８０は、奇数系列における最初の供給期間に画像信号Ｓが供給される信号線１２２を、複数の水平走査期間Ｈで異ならせてもよい。また、制御回路２８０は、偶数系列における最初の供給期間に画像信号Ｓが供給される信号線１２２を、複数の水平走査期間Ｈで異ならせてもよい。また、制御回路２８０は、奇数系列における最後の供給期間に画像信号Ｓが供給される信号線１２２を、複数の水平走査期間Ｈで異ならせてもよい。また、制御回路２８０は、偶数系列における最後の供給期間に画像信号Ｓが供給される信号線１２２を、複数の水平走査期間Ｈで異ならせてもよい。
【０１３２】
＜変形例２＞
上述した図２では、プリチャージスイッチＳＷｐ１−ＳＷｐ４１６０の他端が互いに接続される例を示したが、プリチャージスイッチＳＷｐ１−ＳＷｐ４１６０の他端の接続関係は、図２に示した例に限定されない。例えば、奇数番目の列の信号線１２２に接続されるプリチャージスイッチＳＷｐの他端が互いに接続され、偶数番目の列の信号線１２２に接続されるプリチャージスイッチＳＷｐの他端が互いに接続されてもよい。
【０１３３】
この場合、プリチャージ電圧制御回路２６０は、電気光学装置１の通常動作時では、奇数番目の列の信号線１２２に接続されるプリチャージスイッチＳＷｐの他端と、偶数番目の列の信号線１２２に接続されるプリチャージスイッチＳＷｐの他端との両方にプリチャージ信号ＰＲＣを供給する。なお、電気光学装置１のテスト時では、例えば、図示しないテスト回路が、奇数番目の列の信号線１２２に接続されるプリチャージスイッチＳＷｐの他端を、偶数番目の列の信号線１２２に接続されるプリチャージスイッチＳＷｐの他端から電気的に絶縁する。そして、テスト回路は、奇数番目の列の信号線１２２に接続されるプリチャージスイッチＳＷｐの他端と、偶数番目の列の信号線１２２に接続されるプリチャージスイッチＳＷｐの他端とに互いに異なるレベルのテスト信号を供給する。この場合、互いに隣り合う信号線１２２の短絡等を容易に検出することができる。
【０１３４】
＜変形例３＞
上述した図２では、複数の信号線１２２がｋ個の信号線１２２を含む信号線群に分類される例を示したが、複数の信号線１２２は、複数の信号線群に分類されなくてもよい。例えば、電気光学装置１は、画像信号Ｓが順番に供給されるｋ個の信号線１２２を有していればよい。すなわち、図２に示したブロック図において、９列目から４１６０列目までの信号線１２２および画素ＰＸと、書き込み選択回路ＳＵｖ１以外の書き込み選択回路ＳＵｖと、プリチャージ選択回路ＳＵｐ１以外のプリチャージ選択回路ＳＵｐとは、省かれてもよい。
【０１３５】
＜変形例４＞
上述した第１実施形態および第２実施形態においては、電気光学装置として液晶を用いた装置を例示したが、本発明はこれに限定されない。すなわち、電気エネルギーによって光学特性が変化する電気光学材料を用いる電気光学装置であればよい。なお、電気光学材料とは、電流信号または電圧信号等の電気信号の供給によって透過率や輝度といった光学的特性が変化する材料である。例えば、有機ＥＬ（ElecTroLuminescent）、無機ＥＬや発光ポリマーなどの発光素子を用いた表示パネルに対しても上述した第１実施形態および第２実施形態と同様に本発明が適用され得る。
【０１３６】
また、着色された液体と当該液体に分散された白色の粒子とを含むマイクロカプセルを電気光学材料として用いた電気泳動表示パネルに対しても上述した第１実施形態および第２実施形態と同様に本発明が適用され得る。さらに、極性が相違する領域ごとに異なる色に塗り分けられたツイストボールを電気光学材料として用いたツイストボールディスプレイパネルに対しても上述した第１実施形態および第２実施形態と同様に本発明が適用され得る。黒色トナーを電気光学材料として用いたトナーディスプレイパネルなど各種の電気光学装置に対しても上述した第１実施形態および第２実施形態と同様に本発明が適用され得る。
【０１３７】
＜変形例５＞
本願発明の開発過程で、プリチャージスイッチＳＷｐが導通状態から非導通状態に遷移する遷移動作に伴うノイズにより、信号線１２２及び容量線１２４が、該ノイズの影響を受けて、表示ムラとして視認されてしまう場合があることが分かっている。以下では、プリチャージスイッチＳＷｐが導通状態から非導通状態に遷移する遷移動作は、プリチャージスイッチＳＷｐのオフ動作とも称される。
変形例５では、この表示ムラの発生を抑制する方法について説明する。
【０１３８】
上述した第１実施形態の図５において、第１系列の供給期間では、第２系列のプリチャージ期間に第２系列の信号線１２２に対するプリチャージが実行される。そして、第１系列の供給期間の終了時刻、すなわち、書き込み選択信号ＳＥＬ１がローレベルに遷移した直後のタイミングは、第２系列のプリチャージ期間の終了時刻、すなわち、プリチャージ選択信号ＰＳＥＬ２がローレベルに遷移した直後のタイミングより遅い。一方で、第２系列の供給期間の終了時刻と第３系列のプリチャージ期間の終了時刻は、概ね一致している。
そして、本願の発明者は、第ｎ系列の供給期間の終了時刻が、第ｎ系列の供給期間と重複する期間に実行される第ｎ＋ａ系列のプリチャージ期間の終了時刻よりも遅い場合は、第ｎ系列の供給期間の終了時刻が、第ｎ系列の供給期間と重複して実行される第ｎ＋ａ系列のプリチャージ期間の終了時刻と一致している場合に比べて、プリチャージスイッチＳＷｐのオフ動作に伴う信号線１２２及び容量線１２４へのノイズの影響が大きくなる、という知見を得た。但し、ｎは１以上の整数であり、ａは１以上の整数である。尚、このプリチャージスイッチＳＷｐのオフ動作に伴う信号線１２２及び容量線１２４へのノイズの影響は、第ｎ系列の供給期間の終了時刻を、第ｎ系列の供給期間と重複して実行される第ｎ＋ａ系列のプリチャージ期間の終了時刻よりも早くした場合でも、抑制されることが分かっている。
【０１３９】
従って、プリチャージスイッチＳＷｐのオフ動作に伴うノイズによる影響を抑制するために、図５において、第２系列のプリチャージ期間の終了時刻を第１系列の供給期間の終了時刻に概ね一致させる構成としてもよい。同様に、図６において、第３系列のプリチャージ期間の終了時刻を第２系列の供給期間の終了時刻に概ね一致させる構成としてもよい。同様に、図７において、第４系列のプリチャージ期間の終了時刻を第３系列の供給期間の終了時刻に概ね一致させる構成としてもよい。同様に、図８において、第５系列のプリチャージ期間の終了時刻を第４系列の供給期間の終了時刻に概ね一致させる構成としてもよい。同様に、図９において、第６系列のプリチャージ期間の終了時刻を第５系列の供給期間の終了時刻に概ね一致させる構成としてもよい。同様に、図１０において、第７系列のプリチャージ期間の終了時刻を第６系列の供給期間の終了時刻に概ね一致させる構成としてもよい。同様に、図１１において、第８系列のプリチャージ期間の終了時刻を第７系列の供給期間の終了時刻に概ね一致させる構成としてもよい。同様に、図１２において、第１系列のプリチャージ期間の終了時刻を第８系列の供給期間の終了時刻に概ね一致させる構成としてもよい。
このようにある系列に対する供給期間の終了時刻と、期間が重複して実行されるプリチャージ期間の終了時刻との時間差を揃える構成、又は、供給期間の終了時刻を、期間が重複して実行されるプリチャージ期間の終了時刻よりも早くする構成にすることで表示ムラを抑制できる。
【０１４０】
＜応用例＞
この発明は、各種の電子機器に利用され得る。図１７から図１９は、この発明の適用対象となる電子機器の具体的な形態を例示するものである。
【０１４１】
図１７は、電子機器の一例を示す説明図である。なお、図１７は、電気光学装置１を採用した可搬型のパーソナルコンピューター２０００の斜視図である。パーソナルコンピューター２０００は、各種の画像を表示する電気光学装置１と、電源スイッチ２００１やキーボード２００２が設置された本体部２０１０とを有する。
【０１４２】
図１８は、電子機器の他の例を示す説明図である。なお、図１８は、携帯電話機３０００の斜視図である。携帯電話機３０００は、複数の操作ボタン３００１およびスクロールボタン３００２と、各種の画像を表示する電気光学装置１とを有する。スクロールボタン３００２を操作することによって、電気光学装置１に表示される画面がスクロールされる。
【０１４３】
図１９は、電子機器の他の例を示す説明図である。なお、図１９は、電気光学装置１を採用した投射型表示装置４０００の構成を示す模式図である。投射型表示装置４０００は、例えば、３板式のプロジェクターである。図１９に示す電気光学装置１Ｒは、赤色の表示色に対応する電気光学装置１であり、電気光学装置１Ｇは、緑の表示色に対応する電気光学装置１であり、電気光学装置１Ｂは、青色の表示色に対応する電気光学装置１である。
【０１４４】
すなわち、投射型表示装置４０００は、赤、緑および青の表示色に各々対応する３個の電気光学装置１Ｒ、１Ｇ、１Ｂを有する。照明光学系４００１は、光源である照明装置４００２からの出射光のうち赤色成分ｒを電気光学装置１Ｒに供給し、緑色成分ｇを電気光学装置１Ｇに供給し、青色成分ｂを電気光学装置１Ｂに供給する。各電気光学装置１Ｒ、１Ｇ、１Ｂは、照明光学系４００１から供給される各単色光を表示画像に応じて変調するライトバルブ等の光変調器として機能する。投射光学系４００３は、各電気光学装置１Ｒ、１Ｇ、１Ｂからの出射光を合成して投射面４００４に投射する。すなわち、本発明は、液晶プロジェクターにも適用可能である。
【０１４５】
なお、本発明が適用される電子機器としては、図１、および図１７から図１９に例示した機器のほか、携帯情報端末（ＰＤＡ：Ｐｅｒｓｏｎａｌ  Ｄｉｇｉｔａｌ  Ａｓｓｉｓｔａｎｔｓ）が挙げられる。その他にも、デジタルスチルカメラ，テレビ，ビデオカメラ，カーナビゲーション装置，車載用の表示器（インパネ），電子手帳，電子ペーパー，電卓，ワードプロセッサー，ワークステーション，テレビ電話，ＰＯＳ端末が挙げられる。さらに、プリンター，スキャナー，複写機，ビデオプレーヤー，タッチパネルを備えた機器等などが挙げられる。
【符号の説明】
【０１４６】
１、１Ｂ、１Ｇ、１Ｒ…電気光学装置、１００…電気光学パネル、１２０…走査線、１２２…信号線、１２４…容量線、１３０…液晶素子、１３２…画素電極、１３４…コモン電極、１３６…液晶、１４０…画像信号回路、１６０…プリチャージ回路、１８０…走査線駆動回路、２００…駆動用集積回路、２４０…信号線駆動回路、２６０…プリチャージ電圧制御回路、２８０…制御回路、３００…フレキシブル回路基板、２０００…パーソナルコンピューター、２００１…電源スイッチ、２００２…キーボード、２０１０…本体部、３０００…携帯電話機、３００１…操作ボタン、３００２…スクロールボタン、４０００…投射型表示装置、４００１…照明光学系、４００２…照明装置、４００３…投射光学系、４００４…投射面、Ｃｓｔ…保持容量、ＰＸ…画素、ＳＵｐ…プリチャージ選択回路、ＳＵｖ…書き込み選択回路、ＳＷｐ…プリチャージスイッチ、ＳＷｖ…書き込みスイッチ、ＴＲｈ…画素トランジスター。
【図１】
2020038393.tif 000003
【図２】
2020038393.tif 000004
【図３】
2020038393.tif 000005
【図４】
2020038393.tif 000006
【図５】
2020038393.tif 000007
【図６】
2020038393.tif 000008
【図７】
2020038393.tif 000009
【図８】
2020038393.tif 000010
【図９】
2020038393.tif 000011
【図１０】
2020038393.tif 000012
【図１１】
2020038393.tif 000013
【図１２】
2020038393.tif 000014
【図１３】
2020038393.tif 000015
【図１４】
2020038393.tif 000016
【図１５】
2020038393.tif 000017
【図１６】
2020038393.tif 000018
【図１７】
2020038393.tif 000019
【図１８】
2020038393.tif 000020
【図１９】
2020038393.tif 000021